(57)【要約】【課題】モバイルデバイスの有する携帯性を高くする。【解決手段】駆動素子と、駆動素子に電力を供給可能な第１バッテリーと、駆動素子に電力を供給可能であり着脱可能な第２バッテリーの電圧が前記駆動素子を駆動可能な第１電圧以上の場合、前記第１バッテリーの電力の供給を停止する停止部と、を備える、ことを特徴とするモバイルデバイス。【選択図】図１８
2020054216.tif 000002
【特許請求の範囲】
【請求項１】
駆動素子と、
前記駆動素子に電力を供給可能な第１バッテリーと、
前記駆動素子に電力を供給可能であり着脱可能な第２バッテリーの電圧が前記駆動素子を駆動可能な第１電圧以上の場合、前記第１バッテリーの電力の供給を停止する停止部と、
を備える、
ことを特徴とするモバイルデバイス。
【請求項２】
前記第１バッテリーの満充電状態の電圧は、前記第１電圧より低く、
前記第１バッテリーから前記駆動素子に電力を供給する第１経路と、
前記第２バッテリーから前記駆動素子に電力を供給する第２経路とに共通のノード、
を備え、
前記停止部は、
前記第１経路上に設けられ、前記第１バッテリーの電圧を昇圧するか否かを切り替え可能な昇圧部と、
前記第１経路上に設けられ、アノードが前記昇圧回路と電気的に接続され、カソードが前記ノードと電気的に接続されるダイオードと、
を備える、
ことを特徴とする、請求項１に記載のモバイルデバイス。
【請求項３】
前記昇圧部は、
前記第２バッテリーの電圧が前記第１電圧以上の場合、
前記第１バッテリーの電圧の昇圧を停止し、
前記第２バッテリーの電圧が前記第１電圧未満の場合、
前記第１バッテリーの電圧を前記第１電圧以上の電圧に昇圧する、
ことを特徴とする、請求項２に記載のモバイルデバイス。
【請求項４】
前記第２経路上に設けられ、
前記第２バッテリーの電圧が前記第１電圧以上の場合にオンし、
前記第２バッテリーの電圧が前記第１電圧未満の場合にオフするスイッチ、
を備える、
ことを特徴とする、請求項３に記載のモバイルデバイス。
【請求項５】
前記第２バッテリーの最大容量は、前記第１バッテリーの最大容量より大きい、
ことを特徴とする、請求項１乃至４のうち何れか１項に記載のモバイルデバイス。
【請求項６】
前記ノードは、バス配線である、
ことを特徴とする、請求項２乃至４のうち何れか１項に記載のモバイルデバイス。
【請求項７】
前記駆動素子は、前記第２バッテリーの容量を報知する報知部を備える、
ことを特徴とする、請求項１乃至６のうち何れか１項に記載のモバイルデバイス。
【請求項８】
前記駆動素子を制御する第１プロセッサーと、
前記第１プロセッサー、前記第１バッテリー、及び、前記第２バッテリーを電気的に接続する電力配線と、
を備え、
前記電力配線における、前記第１プロセッサー及び前記第１バッテリーの間の配線長は、
前記電力配線における、前記第１プロセッサー及び前記第２バッテリーの間の配線長よりも短く、
前記電力配線における、前記第２バッテリー及び前記第１バッテリーの間の配線長は、
前記電力配線における、前記第２バッテリー及び前記第１プロセッサーの間の配線長よりも短い、
ことを特徴とする、請求項１乃至７のうち何れか１項に記載のモバイルデバイス。
【請求項９】
前記駆動素子を制御する第１プロセッサーと、
前記第１プロセッサーよりも消費電力が小さい第２プロセッサーと、
を備え、
前記第１プロセッサー及び前記第１バッテリーの距離と、
前記第１プロセッサー及び前記第２バッテリーの距離との和は、
前記第２プロセッサー及び前記第１バッテリーの距離と、
前記第２プロセッサー及び前記第２バッテリーの距離との和より長い、
ことを特徴とする、請求項１乃至８のうち何れか１項に記載のモバイルデバイス。
【発明の詳細な説明】
【技術分野】
【０００１】
本発明は、モバイルデバイスに関する。
【背景技術】
【０００２】
小型且つ軽量で、携帯性を備え、駆動素子を有するモバイルデバイスが従来から提案されている。例えば、特許文献１には、モバイルデバイスの一例として、駆動素子として表示装置を備え、バッテリーを内蔵するスマートフォンが開示されている。
【先行技術文献】
【特許文献】
【０００３】
【特許文献１】特開２０１５−１８２３６９号公報
【発明の概要】
【発明が解決しようとする課題】
【０００４】
しかしながら、従来のモバイルデバイスにおいて、モバイルデバイスに内蔵されているバッテリーが完全放電状態になると、当該モバイルデバイスの駆動素子を駆動するためには、商用電源からの電力の供給が必要となり、モバイルデバイスの有する携帯性が損なわれるという問題が存在する。
【課題を解決するための手段】
【０００５】
本発明の好適な態様に係るモバイルデバイスは、駆動素子と、前記駆動素子に電力を供給可能な第１バッテリーと、前記駆動素子に電力を供給可能であり着脱可能な第２バッテリーの電圧が前記駆動素子を駆動可能な第１電圧以上の場合、前記第１バッテリーの電力の供給を停止する停止部と、を備える、ことを特徴とする。
【図面の簡単な説明】
【０００６】
【図１】第１実施形態に係るポータブルデバイスＰの一例を示す外観斜視図。
【図２】ポータブルデバイスＰの一例を示す外観斜視図。
【図３】ポータブルデバイスＰの一例を示す外観斜視図。
【図４】ポータブルデバイスＰの機能構成の一例を示す機能ブロック図。
【図５】ポータブルデバイスＰの断面構造の概略の一例を示す断面図。
【図６】ポータブルデバイスＰの回路構成の一例を示す説明図。
【図７】ポータブルデバイスＰにおける充電に係る処理の一例を示すフローチャート。
【図８】モバイルバッテリーＡＣ充電モードによる充電の一例を示す説明図。
【図９】内蔵バッテリーＡＣ充電モードによる充電の一例を示す説明図。
【図１０】内蔵バッテリーＵＳＢ充電モードによる充電の一例を示す説明図。
【図１１】モバイルバッテリーＵＳＢ充電モードによる充電の一例を示す説明図。
【図１２】変形例１．１に係るポータブルデバイスＰの回路構成の一例を示す説明図。
【図１３】第２実施形態に係るポータブルデバイスＰAの一例を示す外観斜視図。
【図１４】ポータブルデバイスＰAの断面構造の概略の一例を示す断面図。
【図１５】ポータブルデバイスＰAの機能構成の一例を示す機能ブロック図。
【図１６】ポータブルデバイスＰAの回路構成の一例を示す説明図。
【図１７】第３実施形態に係るポータブルデバイスＰBの機能構成の一例を示す機能ブロック図。
【図１８】ポータブルデバイスＰBの回路構成の一例を示す説明図。
【図１９Ａ】ポータブルデバイスＰBにおける給電に係る処理の一例を示すフローチャート。
【図１９Ｂ】ポータブルデバイスＰBにおける給電に係る処理の一例を示すフローチャート。
【図２０】内蔵バッテリー電力供給モードによる給電の一例を示す説明図。
【図２１】モバイルバッテリー電力供給モードによる給電の一例を示す説明図。
【図２２】第４実施形態に係るポータブルデバイスＰＣの機能構成の一例を示す機能ブロック図。
【図２３】ポータブルデバイスＰＣの回路構成の一例を示す説明図。
【図２４Ａ】ポータブルデバイスＰＣにおける給電に係る処理の一例を示すフローチャート。
【図２４Ｂ】ポータブルデバイスＰＣにおける給電に係る処理の一例を示すフローチャート。
【図２５】内蔵バッテリー電力供給モードによる給電の一例を示す説明図。
【図２６】モバイルバッテリー電力供給モードによる給電の一例を示す説明図。
【図２７】第５実施形態に係るポータブルデバイスＰZに設けられた電力バス１００の一例を示す説明図。
【図２８】電力バス１００の一例を示す説明図。
【図２９】電力バス１００の一例を示す説明図。
【図３０】電力バス１００の一例を示す説明図。
【図３１】第６実施形態に係るポータブルデバイスＰZに設けられたメイン制御回路１１と内蔵バッテリー７１及びモバイルバッテリー８１との位置関係の一例を示す説明図。
【発明を実施するための形態】
【０００７】
以下、実施するための形態について図面を参照して説明する。ただし、各図において、各部の寸法及び縮尺は、実際のものと適宜に異ならせてある。また、以下に述べる実施形態は、好適な具体例であるから、技術的に好ましい種々の限定が付されているが、本発明の範囲は、以下の説明において特に本発明を限定する旨の記載がない限り、これらの形態に限られるものではない。
【０００８】
＜＜１．第１実施形態＞＞
本実施形態では、インクを吐出して媒体に画像を形成する印刷処理を実行可能なモバイルタイプのインクジェットプリンターであるモバイルプリンター１を含む、ポータブルデバイスＰを説明する。モバイルプリンター１は、「モバイルデバイス」の一例である。また、媒体とは、例えば、普通紙、写真、または、はがき等の記録用紙である。
【０００９】
＜＜１．１．ポータブルデバイスＰの概要＞＞
図１は、ポータブルデバイスＰを正面側から見た外観斜視図である。ポータブルデバイスＰは、モバイルプリンター１と、モバイルプリンター１に対して着脱可能なモバイルバッテリーユニット８と、を有する。図１に示すように、モバイルプリンター１には、開閉可能なカバー１６が設けられる。
【００１０】
図２は、カバー１６が開いている場合のポータブルデバイスＰの外観斜視図である。図２に示すように、モバイルバッテリーユニット８は、モバイルプリンター１の背面に装着される。
以下では、図２に示すように、モバイルプリンター１の前面方向を「＋Ｙ方向」と称し、モバイルプリンター１の背面方向を「−Ｙ方向」と称する。また、＋Ｙ方向及び−Ｙ方向を「Ｙ軸方向」と総称する。また、モバイルプリンター１を＋Ｙ方向から見たときに、モバイルプリンター１の右方向を「＋Ｘ方向」と称し、左方向を「−Ｘ方向」と称し、＋Ｘ方向及び−Ｘ方向を「Ｘ軸方向」と総称する。また、モバイルプリンター１の上方向を「＋Ｚ方向」と称し、下方向を「−Ｚ方向」と称し、＋Ｚ方向及び−Ｚ方向を「Ｚ軸方向」と総称する。
【００１１】
図２に示すように、モバイルプリンター１は、表示装置５０と、操作部１４と、媒体をモバイルプリンター１に給紙する給紙口ＦＰと、媒体を排紙する排紙口ＤＰとを、備える。表示装置５０は、モバイルプリンター１及びモバイルバッテリーユニット８に関する各種情報を表示可能である。表示装置５０は、液晶パネル、電子ペーパーパネル、または、有機エレクトロルミネッセンスパネル等の表示パネルを含んで形成される。操作部１４は、ユーザーの操作を受け付ける。
【００１２】
図３は、ポータブルデバイスＰを−Ｙ方向から見た外観斜視図である。図３に示すように、モバイルプリンター１は、ＡＣアダプターのＤＣプラグを差し込み可能なＤＣジャック１８と、ＵＳＢポート１９と、を備える。同様に、モバイルバッテリーユニット８は、ＤＣジャック８８を備える。ここで、ＡＣとは、Alternating  Currentの略称であり、ＤＣとは、Direct  Currentの略称であり、ＵＳＢとは、Universal  Serial  Busの略称である。
モバイルプリンター１は、ＵＳＢポート１９を介して、パーソナルコンピューターまたはデジタルカメラ等のホストコンピューターと電気的に接続することができる。モバイルプリンター１は、ホストコンピューターから、モバイルプリンター１が形成すべき画像を示す印刷データＩmgの供給を受けることができる。
【００１３】
＜＜１．２．ポータブルデバイスＰの機能の概要＞＞
図４は、ポータブルデバイスＰの機能構成の一例を示す機能ブロック図である。
上述のとおり、ポータブルデバイスＰは、モバイルプリンター１とモバイルバッテリーユニット８とを備える。
図４に例示するように、モバイルプリンター１は、モバイルプリンター１の各部を制御する制御モジュール１０と、インクを吐出可能な複数の吐出部が設けられた記録ヘッド３０と、記録ヘッド３０に設けられた吐出部からインクが吐出されるように記録ヘッド３０を駆動するための駆動信号Ｃomを生成する駆動信号生成回路２０と、媒体と記録ヘッド３０との相対位置を変化させるための搬送モジュール４０と、上述の表示装置５０と、モバイルプリンター１の各部に電力を供給可能な内蔵バッテリーモジュール７０と、モバイルプリンター１がモバイルバッテリーユニット８からの電力の供給を受けるか否かを切り替える電力供給スイッチ６００と、を備える。記録ヘッド３０は、「駆動素子」の一例である。
また、モバイルバッテリーユニット８は、モバイルバッテリーユニット８がモバイルプリンター１に装着される場合に、モバイルプリンター１の各部に電力を供給可能なモバイルバッテリーモジュール８０を備える。
【００１４】
本実施形態では、一例として、制御モジュール１０が、メイン制御回路１１と、サブ制御回路１２と、を含む場合を想定する。
メイン制御回路１１は、例えば、ＣＰＵを含んで構成される。ここで、ＣＰＵは、Central  Processing  Unitの略称である。但し、メイン制御回路１１は、ＣＰＵの代わりに、または、ＣＰＵに加えて、ＤＳＰ、ＡＳＩＣ、ＰＬＤ、または、ＦＰＧＡ等を備えていてもよい。ここで、ＤＳＰは、Digital  Signal  Processorの略称である。ＡＳＩＣは、Application  Specific  Integrated  Circuitの略称である。ＰＬＤは、Programmable  Logic  Deviceの略称である。ＦＰＧＡは、Field  Programmable  Gate  Arrayの略称である。メイン制御回路１１は、「第１プロセッサー」の一例である。なお、以下では、「第１プロセッサー」を、単に「プロセッサー」と称する場合がある。
サブ制御回路１２は、例えば、ＣＰＵを含んで構成される。なお、サブ制御回路１２は、ＣＰＵの代わりに、または、ＣＰＵに加えて、ＤＳＰ、ＡＳＩＣ、ＰＬＤ、または、ＦＰＧＡ等を備えていてもよい。サブ制御回路１２は、「第２プロセッサー」の一例である。
【００１５】
メイン制御回路１１は、駆動信号生成回路２０において生成される駆動信号Ｃomの波形を規定する波形規定信号ｄComを、駆動信号生成回路２０に対して供給する。ここで、駆動信号Ｃomとは、記録ヘッド３０に設けられた吐出部を駆動するための信号である。また、メイン制御回路１１は、記録ヘッド３０に設けられた複数の吐出部のうち、駆動信号Ｃomにより駆動される吐出部を指定する印刷信号ＳＩを、記録ヘッド３０に対して供給する。また、メイン制御回路１１は、搬送モジュール４０を制御するための搬送制御信号ＳKを、搬送モジュール４０に対して供給する。また、メイン制御回路１１は、表示装置５０を制御するための表示制御信号Ｓhを、表示装置５０に対して供給する。
【００１６】
メイン制御回路１１は、電力供給スイッチ６００をオンするか否かを指定する指定信号Ｓnを、電力供給スイッチ６００に対して供給する。なお、モバイルプリンター１は、電力供給スイッチ６００がオンする場合、モバイルプリンター１に装着されるモバイルバッテリーユニット８からの電力の供給を受けることができる。また、メイン制御回路１１は、内蔵バッテリーモジュール７０を制御するための制御信号ＳSを、内蔵バッテリーモジュール７０に対して供給する。また、メイン制御回路１１は、モバイルバッテリーモジュール８０を制御するための制御信号Ｓaを、モバイルバッテリーモジュール８０に対して供給する。また、メイン制御回路１１は、モバイルバッテリーユニット８の状態を示す状態信号Ｓbと、モバイルバッテリーユニット８がモバイルプリンター１に装着されていることを示す装着信号Ｓcとを、モバイルバッテリーモジュール８０から取得する。
【００１７】
サブ制御回路１２は、内蔵バッテリーモジュール７０を制御するための制御信号ＳSaを、内蔵バッテリーモジュール７０に対して供給する。また、サブ制御回路１２は、内蔵バッテリーモジュール７０の状態を示す状態信号ＳSbを、内蔵バッテリーモジュール７０から取得する。
なお、メイン制御回路１１は、サブ制御回路１２に対して、制御信号ＳSaの出力を指示する指示信号Ｓpを供給する。また、メイン制御回路１１は、サブ制御回路１２から、サブ制御回路１２が有する情報を通知するための通知信号Ｓqが供給される。
【００１８】
＜＜１．３．ポータブルデバイスＰの構成＞＞
図５は、ポータブルデバイスＰを、図２におけるＥ−ｅ線で切断する場合における、ポータブルデバイスＰの断面構造の概略の一例を示す断面図である。なお、本実施形態では、一例として、ポータブルデバイスＰに設けられたモバイルプリンター１が、シリアルプリンターである場合を想定する。
【００１９】
図５に示すように、モバイルプリンター１は、記録ヘッド３０が取り付けられたキャリッジ４３と、キャリッジ４３の−Ｚ側に設けられ、媒体を支持するプラテン４６と、を備える。なお、搬送モジュール４０は、キャリッジ４３をＸ軸方向に往復動させるための駆動モーター４１を備える。
また、モバイルプリンター１は、給紙口ＦＰから投入される媒体を支持する媒体支持部４５と、給紙口ＦＰから投入される媒体をプラテン４６上へと＋Ｙ方向に搬送するための搬送ローラー対４７と、プラテン４６上の媒体を排紙口ＤＰへと＋Ｙ方向に搬送するための搬送ローラー対４８と、を備える。なお、搬送モジュール４０は、搬送ローラー対４７及び搬送ローラー対４８を駆動するための駆動モーター４２を備える。
【００２０】
本実施形態において、モバイルプリンター１は、印刷処理を実行する際に、メイン制御回路１１による制御の下で、媒体支持部４５及びプラテン４６により規定される媒体の搬送経路ＨKに沿って、媒体を、上流側である−Ｙ側から、下流側である＋Ｙ側へと搬送する。また、モバイルプリンター１は、印刷処理を実行する際に、メイン制御回路１１による制御の下で、駆動モーター４１により、キャリッジ４３を、主走査方向であるＸ軸方向に往復動させる。さらに、モバイルプリンター１は、印刷処理を実行する際に、メイン制御回路１１による制御の下で、キャリッジ４３に取り付けられた記録ヘッド３０から、プラテン４６上に搬送される媒体に対して、インクを吐出させる。このため、本実施形態において、モバイルプリンター１は、印刷処理において、印刷データＩmgに応じた画像を、媒体の全面に形成することができる。
【００２１】
なお、本実施形態では、一例として、図５に示すように、メイン制御回路１１が、記録ヘッド３０よりも−Ｙ側に配置される基板１０１上に設けられ、また、サブ制御回路１２が、給紙口ＦＰよりも−Ｙ側に配置される基板１０２上に設けられ、内蔵バッテリーモジュール７０が、記録ヘッド３０よりも−Ｙ側に設けられている場合を想定する。
【００２２】
内蔵バッテリーモジュール７０は、内蔵バッテリー７１を備える。内蔵バッテリー７１は、制御モジュール１０、駆動信号生成回路２０、記録ヘッド３０、搬送モジュール４０、及び、表示装置５０等の、電力供給対象に対して電力を供給することができる。なお、内蔵バッテリー７１は、「第１バッテリー」の一例である。本実施形態では、内蔵バッテリー７１として、リチウムイオンバッテリーを採用する。
【００２３】
また、本実施形態では、一例として、モバイルバッテリーユニット８が、モバイルプリンター１の−Ｙ側に装着可能である場合を想定する。
モバイルバッテリーユニット８に設けられたモバイルバッテリーモジュール８０は、モバイルバッテリー８１を備える。モバイルバッテリー８１は、モバイルバッテリーユニット８がモバイルプリンター１に装着され、且つ、電力供給スイッチ６００がオンする場合、制御モジュール１０、駆動信号生成回路２０、記録ヘッド３０、搬送モジュール４０、及び、表示装置５０等の、電力供給対象に対して電力を供給することができる。なお、モバイルバッテリー８１は、「第２バッテリー」の一例である。本実施形態では、モバイルバッテリー８１として、リチウムイオンバッテリーを採用する。また、本実施形態では、モバイルバッテリー８１の蓄電容量が、内蔵バッテリー７１の蓄電容量よりも大きい場合を想定する。
【００２４】
なお、本実施形態において、「電力供給対象に対して電力を供給する」とは、電力供給対象に対して、高電位側の電源電位と、グランド電位等の低電位側の基準電位とを設定することで、当該電力供給対象に対して、高電位側の電源電位と低電位側の基準電位との電位差である電源電圧を印加することである。以下では、「電力供給対象に対して電源電圧を印加する」ことを、単に、「電力供給対象に対して電源電圧を供給する」と表現する場合がある。
また、説明を簡略化するため、ダイオードの導通時の電圧降下を無視し、アノードに供給される電圧の符号と、カソードから供給する電圧の符号とを同一に設定する。
【００２５】
＜＜１．４．ポータブルデバイスＰの回路構成＞＞
図６は、ポータブルデバイスＰの回路構成図の一例である。なお、図６では、説明の便宜上、ポータブルデバイスＰの備える配線のうち、信号線の記載を省略し、電力線のみを記載している。また、以下では、電力線、または、電気的に接続される複数の電力線を、「ノード」と称する場合がある。
【００２６】
上述のように、モバイルプリンター１は、上述のとおり、制御モジュール１０、駆動信号生成回路２０、記録ヘッド３０、搬送モジュール４０、表示装置５０、内蔵バッテリーモジュール７０、及び、電力供給スイッチ６００を備える。また、モバイルプリンター１は、ヘッド側昇圧回路６１２、モバイル用昇圧回路６１３、サブ側降圧回路６２１、メイン側降圧回路６２２、及び、周辺機能用降圧回路６２３を備える。さらに、モバイルプリンター１は、デバイス側ダイオード６５３、デバイス側ダイオード６５４、デバイス側ダイオード６５５、デバイス側ダイオード６５６、及び、デバイス側ダイオード６５７を備える。
また、モバイルバッテリーユニット８は、上述のように、モバイルバッテリーモジュール８０を備える。さらに、モバイルバッテリーユニット８は、モバイル側ダイオード８０２、モバイル側ダイオード８０８、及び、モバイル側ダイオード８０９を備える。
【００２７】
＜＜１．４．１．内蔵バッテリーモジュール７０の構成＞＞
内蔵バッテリーモジュール７０は、上述の内蔵バッテリー７１に加えて、充電回路７２と、内蔵バッテリー用昇圧回路７３と、内蔵バッテリー用ダイオード７４とを備える。
【００２８】
充電回路７２は、サブ制御回路１２から供給される制御信号ＳSaに基づいて、内蔵バッテリー７１を充電する。ここで、制御信号ＳSaとは、充電回路７２に対して、内蔵バッテリー７１を充電するか否かを指定する信号である。なお、サブ制御回路１２は、メイン制御回路１１から供給される指示信号Ｓpに基づいて、充電回路７２に対して、制御信号ＳSaを供給する。ここで、指示信号Ｓpとは、充電回路７２に対して、内蔵バッテリー７１を充電するか否かを指定する信号である。
内蔵バッテリー７１は、内蔵バッテリー用昇圧回路７３に対して、電圧Ｖb1を供給する。電圧Ｖb1は、内蔵バッテリー７１が満充電状態である場合に、例えば、４．２Ｖである。また、内蔵バッテリー７１は、内蔵バッテリー７１の状態を示す状態信号ＳSbを、サブ制御回路１２に供給する。ここで、状態信号ＳSbとは、例えば、内蔵バッテリー７１の温度及び電圧等を示す信号である。なお、サブ制御回路１２は、内蔵バッテリー７１から供給される状態信号ＳSbに応じた情報を示す通知信号Ｓqを、メイン制御回路１１に供給する。
【００２９】
内蔵バッテリー用昇圧回路７３は、メイン制御回路１１から供給される制御信号ＳSに基づいて、内蔵バッテリー７１の出力する電圧Ｖb1を昇圧するか否かを切り替え可能である。ここで、制御信号ＳSとは、内蔵バッテリー用昇圧回路７３に対して、内蔵バッテリー７１の出力する電圧Ｖb1を、電圧Ｖb1よりも高電圧の電圧Ｖh1に昇圧するか否かを指定する信号である。電圧Ｖh1は、例えば、最大で１３．２Ｖである。具体的には、内蔵バッテリー用昇圧回路７３は、制御信号ＳSが、内蔵バッテリー用昇圧回路７３に対して、昇圧することを指定する場合、内蔵バッテリー７１の出力する電圧Ｖb1を、電圧Ｖh1に昇圧する。また、内蔵バッテリー用昇圧回路７３は、制御信号ＳSが、内蔵バッテリー用昇圧回路７３に対して、昇圧しないことを指定する場合、内蔵バッテリー７１が出力する電圧Ｖb1を昇圧せず、内蔵バッテリー７１が出力する電圧Ｖb1そのものを内蔵バッテリー用ダイオード７４のアノードに出力する。なお、電圧Ｖh1は、後述する閾値電圧Ｖth以上の電圧であればよい。
内蔵バッテリー用ダイオード７４は、アノードが内蔵バッテリー用昇圧回路７３と電気的に接続されており、カソードがノードｎd1と電気的に接続されており、電流がノードｎd1から内蔵バッテリー用昇圧回路７３に流れることを防止する。
なお、ノードｎd1は、内蔵バッテリー用ダイオード７４のカソードの他に、デバイス側ダイオード６５４のカソード、電力供給スイッチ６００の出力端、ヘッド側昇圧回路６１２、及び、メイン側降圧回路６２２と電気的に接続されている。
【００３０】
＜＜１．４．２．モバイルバッテリーモジュール８０の構成＞＞
モバイルバッテリーモジュール８０は、モバイルバッテリー８１と、充電回路８２とを、備える。
充電回路８２は、メイン制御回路１１から供給される制御信号Ｓaに基づいて、モバイルバッテリー８１を充電する。ここで、制御信号Ｓaとは、充電回路８２に対して、モバイルバッテリー８１を充電するか否かを指定する信号である。
【００３１】
モバイルバッテリー８１は、モバイル側ダイオード８０２に対して、電圧Ｖb2を供給する。電圧Ｖb2は、モバイルバッテリー８１が満充電状態である場合、閾値電圧Ｖth以上の電圧となる。ここで、閾値電圧Ｖthとは、モバイルバッテリー８１が、閾値電圧Ｖthを出力する場合に、モバイルバッテリー８１からの電力供給により、制御モジュール１０、駆動信号生成回路２０、記録ヘッド３０、搬送モジュール４０、及び、表示装置５０等の、電力供給対象を駆動することができる電圧である。閾値電圧Ｖthは、例えば、１３．２Ｖである。すなわち、本実施形態において、閾値電圧Ｖthは電圧Ｖb1よりも高電圧である。
また、モバイルバッテリー８１は、モバイルバッテリー８１の状態を示す状態信号Ｓbを、メイン制御回路１１に供給する。ここで、状態信号Ｓbとは、例えば、モバイルバッテリー８１の温度及び電圧等を示す信号である。また、モバイルバッテリー８１は、モバイルバッテリーユニット８がモバイルプリンター１に装着されている場合、モバイルバッテリーユニット８がモバイルプリンター１に装着されていることを示す装着信号Ｓcを、メイン制御回路１１に供給する。
【００３２】
＜＜１．４．３．ポータブルデバイスＰにおける電力の供給＞＞
デバイス側ダイオード６５３は、アノードが、ＤＣジャック１８内の給電端子１８１と電気的に接続されており、カソードが、ノードｎd3と電気的に接続されている。デバイス側ダイオード６５３は、電流がノードｎd3から給電端子１８１に流れることを防止する。デバイス側ダイオード６５３のアノードには、ＤＣジャック１８にＡＣアダプターのＤＣプラグが差しこまれている場合、給電端子１８１を介して、電圧Ｖacが供給される。電圧Ｖacは、例えば、２４Ｖである。デバイス側ダイオード６５３は、アノードに電圧Ｖacが供給される場合に、ノードｎd3に対して、電圧Ｖacを供給する。給電端子１８１は、「第１端子」の一例である。
なお、ノードｎd3は、デバイス側ダイオード６５３のカソードの他に、デバイス側ダイオード６５４のアノード、モバイル側ダイオード８０８のアノード、及び、サブ側降圧回路６２１と電気的に接続されている。
【００３３】
デバイス側ダイオード６５４は、アノードが、ノードｎd3と電気的に接続されており、カソードが、ノードｎd1と電気的に接続されている。デバイス側ダイオード６５４は、電流がノードｎd1からノードｎd3に流れることを防止する。デバイス側ダイオード６５４は、アノードに電圧Ｖacが供給される場合に、ノードｎd1に対して、電圧Ｖacを供給する。なお、以下では、ノードｎd1の電圧を、電圧ＶhNと称する場合がある。
【００３４】
サブ側降圧回路６２１は、ノードｎd3を介して供給される電圧Ｖacを電圧Ｖl1に降圧し、ノードｎd5に対して電圧Ｖl1を供給する。電圧Ｖl1は、例えば、５Ｖである。なお、サブ側降圧回路６２１は、「第１変圧部」の一例である。
なお、ノードｎd5は、サブ側降圧回路６２１の他に、デバイス側ダイオード６５５のカソード、デバイス側ダイオード６５６のアノード、充電回路７２、及び、モバイル用昇圧回路６１３と電気的に接続されている。すなわち、充電回路７２には、ノードｎd5から、電圧Ｖl1が供給される。
【００３５】
デバイス側ダイオード６５５は、アノードが、ＵＳＢポート１９内の給電端子１９１と電気的に接続されており、カソードが、ノードｎd5と電気的に接続されている。デバイス側ダイオード６５５は、電流がノードｎd5から給電端子１９１に流れることを防止する。デバイス側ダイオード６５５のアノードには、ＵＳＢポート１９がホストコンピューターと電気的に接続される場合、給電端子１９１を介して、電圧Ｖl1が供給される。デバイス側ダイオード６５５は、アノードに電圧Ｖl1が供給される場合に、ノードｎd5に対して、電圧Ｖl1を供給する。給電端子１９１は、「第２端子」の一例である。
デバイス側ダイオード６５６は、アノードが、ノードｎd5と電気的に接続されており、カソードが、サブ制御回路１２と電気的に接続されている。デバイス側ダイオード６５６は、電流がサブ制御回路１２からノードｎd5に流れることを防止する。デバイス側ダイオード６５６は、アノードに電圧Ｖl1が供給される場合に、サブ制御回路１２に対して、電圧Ｖl1を供給する。
【００３６】
モバイル用昇圧回路６１３は、ノードｎd5を介して供給される電圧Ｖl1を電圧Ｖh3に昇圧する。モバイル用昇圧回路６１３は、モバイルバッテリーユニット８がモバイルプリンター１に装着されている場合、モバイル側ダイオード８０９のアノードに対して電圧Ｖh3を供給する。電圧Ｖh3は、例えば、２４Ｖである。なお、モバイル用昇圧回路６１３は、「第２変圧部」の一例である。
【００３７】
モバイル側ダイオード８０９は、アノードが、ＤＣジャック８８内の給電端子８８１と電気的に接続されており、カソードが、充電回路８２と電気的に接続されている。モバイル側ダイオード８０９は、電流が充電回路８２から給電端子８８１に流れることを防止する。モバイル側ダイオード８０９のアノードには、ＤＣジャック８８にＡＣアダプターのＤＣプラグが差しこまれている場合、給電端子８８１を介して、電圧Ｖacが供給される。モバイル側ダイオード８０９は、アノードに電圧Ｖacが供給される場合に、充電回路８２に対して、電圧Ｖacを供給する。
また、モバイル側ダイオード８０９は、モバイルバッテリーユニット８がモバイルプリンター１に装着されている場合、アノードが、モバイル用昇圧回路６１３と電気的に接続されている。モバイル側ダイオード８０９は、電流が充電回路８２からモバイル用昇圧回路６１３に流れることを防止する。モバイル側ダイオード８０９は、モバイル用昇圧回路６１３から電圧Ｖh3が供給される場合に、充電回路８２に対して、電圧Ｖh3を供給する。
モバイル側ダイオード８０８は、モバイルバッテリーユニット８がモバイルプリンター１に装着されている場合、アノードが、ノードｎd3と電気的に接続され、カソードが、充電回路８２と電気的に接続される。モバイル側ダイオード８０８は、電流が充電回路８２からノードｎd3に流れることを防止する。モバイル側ダイオード８０８は、ノードｎd3を介してアノードに電圧Ｖacが供給される場合に、充電回路８２に対して、電圧Ｖacを供給する。
【００３８】
モバイル側ダイオード８０２は、アノードが、モバイルバッテリー８１と電気的に接続されており、モバイルバッテリーユニット８がモバイルプリンター１に装着されている場合、カソードが、電力供給スイッチ６００の入力端と電気的に接続される。モバイル側ダイオード８０２は、電流が電力供給スイッチ６００からモバイルバッテリー８１に流れることを防止する。モバイル側ダイオード８０２は、モバイルバッテリー８１からアノードに電圧Ｖb2が供給される場合に、電力供給スイッチ６００に対して、電圧Ｖb2を供給する。
【００３９】
電力供給スイッチ６００は、メイン制御回路１１から供給される指定信号Ｓnに基づいて、モバイル側ダイオード８０２のカソードと、ノードｎd1とを、電気的に接続するか否かを切り替える。電力供給スイッチ６００がオンする場合、モバイル側ダイオード８０２から、電力供給スイッチ６００を介して、ノードｎd1に対して、電圧Ｖb2が供給される。
【００４０】
ヘッド側昇圧回路６１２は、ノードｎd1を介して供給される電圧ＶhNを電圧Ｖhに昇圧し、電圧Ｖhを、駆動信号生成回路２０、記録ヘッド３０、及び、周辺機能用降圧回路６２３に供給する。電圧Ｖhは、例えば、４２Ｖである。
周辺機能用降圧回路６２３は、ヘッド側昇圧回路６１２から供給される電圧Ｖhを電圧Ｖl3に降圧し、電圧Ｖl3を、搬送モジュール４０、及び、表示装置５０に供給する。電圧Ｖl3は、例えば、１１Ｖである。
【００４１】
メイン側降圧回路６２２は、ノードｎd1を介して供給される電圧ＶhNを、電圧Ｖl1と電圧Ｖl2とに降圧し、電圧Ｖl1をデバイス側ダイオード６５７のアノードに供給すると共に、電圧Ｖl2をメイン制御回路１１に供給する。電圧Ｖl2は、例えば、３．３Ｖである。
デバイス側ダイオード６５７は、アノードが、メイン側降圧回路６２２と電気的に接続されており、カソードが、サブ制御回路１２と電気的に接続されている。デバイス側ダイオード６５７は、電流がサブ制御回路１２からメイン側降圧回路６２２に流れることを防止する。デバイス側ダイオード６５７は、メイン側降圧回路６２２から供給される電圧Ｖl1を、サブ制御回路１２に対して供給する。
【００４２】
＜＜１．４．４．充電モード＞＞
以下、図７、図８、図９、図１０、及び図１１を参照しつつ、本実施形態に係るポータブルデバイスＰにおける、内蔵バッテリー７１及びモバイルバッテリー８１に対する充電の具体的な態様を説明する。
【００４３】
本実施形態におけるポータブルデバイスＰは、内蔵バッテリーＡＣ充電モードと、内蔵バッテリーＵＳＢ充電モードとの、２つの内蔵バッテリー充電モードにより、内蔵バッテリー７１を充電することが可能である。内蔵バッテリーＡＣ充電モードとは、ＡＣ電源からの電力によって内蔵バッテリー７１を充電する充電モードである。また、内蔵バッテリーＵＳＢ充電モードとは、ＵＳＢポート１９に接続されるホストコンピューターを電源として、内蔵バッテリー７１を充電する充電モードである。ＡＣ電源からの電力は、ＡＣ／ＤＣ変換によって変換後の電力である。
ＤＣジャック１８にＡＣアダプターのＤＣプラグが差しこまれている場合、ＡＣ電源からの電力が給電端子１８１に供給されるため、ＡＣ電源からの電力は、「第１端子に供給される電力」の一例である。同様に、ＵＳＢポート１９にホストコンピューターが電気的に接続する場合、ホストコンピューターからの電力が給電端子１９１に供給されるため、ホストコンピューターからの電力は、「第２端子に供給される電力」の一例である。以下、ホストコンピューターからの電力を、「ＵＳＢ電源からの電力」と称する。本実施形態では、ＡＣ電源からの電力は、ＵＳＢ電源からの電力より大きい。具体的には、電圧Ｖacは、上述のように２４Ｖであり、電流を例えば２Ａとすると、ＡＣ電源からの電力は、２４×２＝４８Ｗである。一方、ＵＳＢ電源からの電圧Ｖl1は、上述のように５Ｖであり、ＵＳＢ２．０の規格に従って電流を０．５Ａとすると、ＵＳＢ電源からの電力は、５×０．５＝２．５Ｗである。従って、ＡＣ電源からの電力４８Ｗは、ＵＳＢ電源からの電力２．５Ｗより大きい。
同様に、本実施形態におけるポータブルデバイスＰは、モバイルバッテリーＡＣ充電モードと、モバイルバッテリーＵＳＢ充電モードとの、２つのモバイルバッテリー充電モードにより、モバイルバッテリー８１を充電することが可能である。モバイルバッテリーＡＣ充電モードとは、ＡＣ電源からの電力によってモバイルバッテリー８１を充電する充電モードである。また、モバイルバッテリーＵＳＢ充電モードとは、ＵＳＢ電源からの電力によって、モバイルバッテリー８１を充電する充電モードである。
【００４４】
さらに、本実施形態におけるポータブルデバイスＰは、ＡＣ電源からの電力によって内蔵バッテリー７１とモバイルバッテリー８１とを充電する場合、充電の順番として、モバイルバッテリー８１の充電の開始後に、内蔵バッテリー７１の充電を開始する。具体的には、ポータブルデバイスＰは、モバイルバッテリー８１の充電を開始してから、モバイルバッテリー８１の満充電状態の容量以下の容量までの充電終了後に、内蔵バッテリー７１の充電を開始する。モバイルバッテリー８１の満充電状態の容量以下の容量とは、モバイルバッテリー８１の完全放電状態の容量より大きくモバイルバッテリー８１の満充電状態の容量以下であればどのような容量でもよい。本実施形態では、ポータブルデバイスＰは、モバイルバッテリー８１の満充電状態の容量までの充電終了後に、内蔵バッテリー７１の充電を開始する。
モバイルバッテリー８１が満充電状態か否かは、モバイルバッテリー８１の電圧に基づいて判断することが可能である。内蔵バッテリー７１及びモバイルバッテリー８１を含む一般的な二次電池は、完全放電状態では電圧が低く、充電する電流が二次電池に流れるにつれて電圧が高くなる。満充電状態の電圧を超えて二次電池が充電されると、過充電となり二次電池が劣化するため、二次電池を保護する回路は、二次電池の電圧が満充電状態の電圧に達したら充電を停止する。従って、モバイルバッテリー８１の電圧が満充電状態の電圧であれば、モバイルバッテリー８１が満充電状態であると判定でき、モバイルバッテリー８１の電圧が満充電状態の電圧未満であれば、モバイルバッテリー８１が満充電状態に達していないと判定できる。
【００４５】
また、ポータブルデバイスＰは、ＵＳＢ電源からの電力によって内蔵バッテリー７１とモバイルバッテリー８１とを充電する場合、充電の順番として、内蔵バッテリー７１の充電を開始後に、モバイルバッテリー８１の充電を開始する。具体的には、ポータブルデバイスＰは、内蔵バッテリー７１の充電を開始してから、内蔵バッテリー７１の満充電状態の容量以下の容量までの充電終了後に、モバイルバッテリー８１の充電を開始する。内蔵バッテリー７１の満充電状態の容量以下の容量とは、内蔵バッテリー７１の完全放電状態の容量より大きく内蔵バッテリー７１の満充電状態の容量以下であればどのような容量でもよい。本実施形態では、ポータブルデバイスＰは、内蔵バッテリー７１の満充電状態の容量までの充電終了後に、モバイルバッテリー８１の充電を開始する。
【００４６】
図７は、充電の順番を示すフローチャートである。図７に示すフローチャートは、ＤＣジャック１８にＡＣアダプターのＤＣプラグが差しこまれておりＡＣ電源からの電力によって充電する場合、または、ＵＳＢポート１９にホストコンピューターが電気的に接続しておりＵＳＢ電源からの電力によって充電する場合を前提とする。
【００４７】
制御モジュール１０は、ステップＳ１において、ＡＣ電源からの電力によって充電するか否かを判定する。ステップＳ１における判定の結果が肯定の場合、制御モジュール１０は、ステップＳ２において、モバイルバッテリー８１が満充電状態か否かを判定する。具体的には、メイン制御回路１１は、モバイルバッテリー８１から状態信号Ｓbを取得し、状態信号Ｓbに含まれる電圧に基づいて、モバイルバッテリー８１が満充電状態か否かを判断する。ステップＳ２における判定の結果が否定の場合、すなわち、モバイルバッテリー８１が満充電状態に達していない場合、制御モジュール１０は、ステップＳ３において、モバイルバッテリーＡＣ充電モードによりモバイルバッテリー８１を充電する。
【００４８】
図８は、モバイルバッテリーＡＣ充電モードによる充電を示す図である。
モバイルバッテリー充電モードをモバイルバッテリーＡＣ充電モードに設定する場合、メイン制御回路１１は、充電回路８２に対して、モバイルバッテリー８１を充電することを指示する制御信号Ｓaを供給する。充電回路８２は、供給される制御信号Ｓaに基づいて、モバイルバッテリー８１を充電する。さらに、メイン制御回路１１は、サブ制御回路１２に対して、充電回路７２に内蔵バッテリー７１を充電しないことを指示する制御信号ＳSaの出力を指示する指示信号Ｓpを供給する。サブ制御回路１２は、供給される指示信号Ｓpに基づいて、充電回路７２に対して、内蔵バッテリー７１を充電しないことを指示する制御信号ＳSaを供給する。この場合、充電回路７２は、内蔵バッテリー７１を充電しない。
【００４９】
図８に示すように、モバイルバッテリーＡＣ充電モードにおいて、ＡＣ電源からの電力は、給電端子１８１、デバイス側ダイオード６５３、ノードｎd3、モバイル側ダイオード８０８、及び、充電回路８２を経由して、モバイルバッテリー８１に供給される。モバイルバッテリーＡＣ充電モードにおいて、充電回路７２は内蔵バッテリー７１を充電しないため、ＡＣ電源からの電力は、内蔵バッテリー７１には供給されない。
【００５０】
説明を図７に戻す。制御モジュール１０は、一定時間ステップＳ３の処理を実施し、ステップＳ２の処理に戻る。ステップＳ２における判定の結果が肯定の場合、すなわち、モバイルバッテリー８１が満充電状態の場合、制御モジュール１０は、ステップＳ４において、内蔵バッテリー７１が満充電状態か否かを判定する。ステップＳ４における判定の結果が否定の場合、すなわち、内蔵バッテリー７１が満充電状態に達していない場合、制御モジュール１０は、ステップＳ５において、内蔵バッテリーＡＣ充電モードにより内蔵バッテリー７１を充電する。
【００５１】
図９は、内蔵バッテリーＡＣ充電モードによる充電を示す図である。
内蔵バッテリー充電モードを内蔵バッテリーＡＣ充電モードに設定する場合、メイン制御回路１１は、充電回路８２に対して、モバイルバッテリー８１を充電しないことを指示する制御信号Ｓaを供給する。この場合、充電回路８２は、モバイルバッテリー８１を充電しない。さらに、メイン制御回路１１は、サブ制御回路１２に対して、充電回路７２に内蔵バッテリー７１を充電することを指示する制御信号ＳSaの出力を指示する指示信号Ｓpを供給する。サブ制御回路１２は、供給される指示信号Ｓpに基づいて、充電回路７２に対して、内蔵バッテリー７１を充電することを指示する制御信号ＳSaを供給する。充電回路７２は、供給される制御信号ＳSaに基づいて、内蔵バッテリー７１を充電する。
【００５２】
図９に示すように、内蔵バッテリーＡＣ充電モードにおいて、ＡＣ電源からの電力は、給電端子１８１、デバイス側ダイオード６５３、ノードｎd3、サブ側降圧回路６２１、ノードｎd5、及び、充電回路７２を経由して、内蔵バッテリー７１に供給される。内蔵バッテリーＡＣ充電モードにおいて、充電回路８２は、モバイルバッテリー８１を充電しないため、ＡＣ電源からの電力は、モバイルバッテリー８１には供給されない。
【００５３】
説明を図７に戻す。制御モジュール１０は、一定時間ステップＳ５の処理を実施し、ステップＳ４の処理に戻る。ステップＳ４における判定の結果が肯定の場合、すなわち、内蔵バッテリー７１が満充電状態の場合、制御モジュール１０は、図７に示す処理を終了させる。
【００５４】
ステップＳ１における判定の結果が否定の場合、すなわち、ＵＳＢ電源からの電力によって充電する場合、制御モジュール１０は、ステップＳ１１において、内蔵バッテリー７１が満充電状態か否かを判定する。ステップＳ１１における判定の結果が否定の場合、すなわち、内蔵バッテリー７１が満充電状態に達していない場合、制御モジュール１０は、ステップＳ１２において、内蔵バッテリーＵＳＢ充電モードにより内蔵バッテリー７１を充電する。
【００５５】
図１０は、内蔵バッテリーＵＳＢ充電モードによる充電を示す図である。
内蔵バッテリー充電モードを内蔵バッテリーＵＳＢ充電モードに設定する場合、メイン制御回路１１は、充電回路８２に対して、モバイルバッテリー８１を充電しないことを指示する制御信号Ｓaを供給する。この場合、充電回路８２は、モバイルバッテリー８１を充電しない。さらに、メイン制御回路１１は、サブ制御回路１２に対して、充電回路７２に内蔵バッテリー７１を充電することを指示する制御信号ＳSaの出力を指示する指示信号Ｓpを供給する。サブ制御回路１２は、供給される指示信号Ｓpに基づいて、充電回路７２に対して、内蔵バッテリー７１を充電することを指示する制御信号ＳSaを供給する。充電回路７２は、供給される制御信号ＳSaに基づいて、内蔵バッテリー７１を充電する。
【００５６】
図１０に示すように、内蔵バッテリーＵＳＢ充電モードにおいて、ＵＳＢ電源からの電力は、給電端子１９１、デバイス側ダイオード６５５、ノードｎd5、及び、充電回路７２を経由して、内蔵バッテリー７１に供給される。内蔵バッテリーＵＳＢ充電モードにおいて、充電回路８２は、モバイルバッテリー８１を充電しないため、ＵＳＢ電源からの電力は、モバイルバッテリー８１には供給されない。
【００５７】
説明を図７に戻す。制御モジュール１０は、一定時間ステップＳ１２の処理を実施し、ステップＳ１１の処理に戻る。ステップＳ１１における判定の結果が肯定の場合、すなわち、内蔵バッテリー７１が満充電状態の場合、制御モジュール１０は、ステップＳ１３において、モバイルバッテリー８１が満充電状態か否かを判定する。ステップＳ１３における判定の結果が否定の場合、すなわち、モバイルバッテリー８１が満充電状態に達していない場合、制御モジュール１０は、ステップＳ１４において、モバイルバッテリーＵＳＢ充電モードによりモバイルバッテリー８１を充電する。
【００５８】
図１１は、モバイルバッテリーＵＳＢ充電モードによる充電を示す図である。
モバイルバッテリー充電モードをモバイルバッテリーＵＳＢ充電モードに設定する場合、メイン制御回路１１は、充電回路８２に対して、モバイルバッテリー８１を充電することを指示する制御信号Ｓaを供給する。充電回路８２は、供給される制御信号Ｓaに基づいて、モバイルバッテリー８１を充電する。さらに、メイン制御回路１１は、サブ制御回路１２に対して、充電回路７２に内蔵バッテリー７１を充電しないことを指示する制御信号ＳSaの出力を指示する指示信号Ｓpを供給する。サブ制御回路１２は、供給される指示信号Ｓpに基づいて、充電回路７２に対して、内蔵バッテリー７１を充電しないことを指示する制御信号ＳSaを供給する。この場合、充電回路７２は、内蔵バッテリー７１を充電しない。
【００５９】
図１１に示すように、モバイルバッテリーＵＳＢ充電モードにおいて、ＵＳＢ電源からの電力は、給電端子１９１、デバイス側ダイオード６５５、ノードｎd5、モバイル用昇圧回路６１３、モバイル側ダイオード８０９、及び、充電回路８２を経由して、モバイルバッテリー８１に供給される。モバイルバッテリーＵＳＢ充電モードにおいて、充電回路７２は、内蔵バッテリー７１を充電しないため、ＵＳＢ電源からの電力は、内蔵バッテリー７１には供給されない。
【００６０】
説明を図７に戻す。制御モジュール１０は、一定時間ステップＳ１４の処理を実施し、ステップＳ１３の処理に戻る。ステップＳ１３における判定の結果が肯定の場合、すなわち、モバイルバッテリー８１が満充電状態の場合、制御モジュール１０は、図７に示す処理を終了させる。
【００６１】
＜＜１．５．第１実施形態の効果＞＞
以上の説明のように、本実施形態の係るモバイルプリンター１は、記録ヘッド３０と、記録ヘッド３０に電力を供給する内蔵バッテリー７１と、内蔵バッテリー７１及び記録ヘッド３０に電力を供給するモバイルバッテリー８１を充電する電力が供給される給電端子１８１と、内蔵バッテリー７１及びモバイルバッテリー８１を充電する電力が供給される給電端子１９１と、を備える。モバイルバッテリー８１の蓄電容量は、内蔵バッテリー７１の蓄電容量より大きい。給電端子１８１に供給されるＡＣ電源からの電力は、給電端子１９１に供給されるＵＳＢ電源からの電力よりも大きい。モバイルプリンター１は、ＡＣ電源からの電力によって内蔵バッテリー７１とモバイルバッテリー８１とを充電する場合、モバイルバッテリー８１の充電を、内蔵バッテリー７１の充電よりも優先させる。
一般的に、二次電池は、完全放電状態に近い状態、換言すれば、容量が小さい状態では、二次電池からの安定的な電力の供給が実現されない。より具体的には、二次電池が完全放電状態付近であることは、上述のように二次電池の電圧で判断できるが、得られる電圧には誤差を含む。二次電池の蓄電容量が大きいほど、安定的な電力を供給できる状態になるために必要な充電電力が大きくなる。
本実施形態では、モバイルプリンター１の携帯性を高めるために、内蔵バッテリー７１よりも蓄電容量の大きいモバイルバッテリー８１をモバイルプリンター１に対して装着している。しかし、モバイルプリンター１にモバイルバッテリー８１を装着すると、モバイルバッテリー８１が完全放電状態に近い状態では、モバイルバッテリー８１からの安定的な電力の供給が実現されず、モバイルプリンター１の携帯性を高くすることができない。
そこで、本実施形態では、ＡＣ電源からの電力によって充電する場合であれば、モバイルバッテリー８１の充電を、内蔵バッテリー７１の充電よりも優先させる。ＡＣ電源からの電力はＵＳＢ電源からの電力より大きいため、ＡＣ電源からの電力は、ＵＳＢ電源からの電力と比較して、モバイルバッテリー８１をより短時間で充電することが可能である。これにより、ＡＣ電源からの電力によって充電する場合であって、内蔵バッテリー７１の充電を、モバイルバッテリー８１の充電よりも優先させる場合と比較して、モバイルバッテリー８１が安定的に電力を供給できる状態により早く到達し、モバイルプリンター１を安定的に稼動することを早くすることが可能になる。このように、モバイルバッテリー８１が完全放電状態に近い状態であっても、モバイルプリンター１を安定的に稼動することを早くすることができるため、モバイルプリンター１の携帯性を高くすることが可能になる。
【００６２】
また、本実施形態の係るモバイルプリンター１は、記録ヘッド３０と、記録ヘッド３０に電力を供給する内蔵バッテリー７１と、内蔵バッテリー７１及び記録ヘッド３０に電力を供給するモバイルバッテリー８１を充電する電力が供給される給電端子１８１と、内蔵バッテリー７１及びモバイルバッテリー８１を充電する電力が供給される給電端子１９１と、を備える。モバイルバッテリー８１の蓄電容量は、内蔵バッテリー７１の蓄電容量より大きい。給電端子１８１に供給されるＡＣ電源からの電力は、給電端子１９１に供給されるＵＳＢ電源からの電力より大きい。ＵＳＢ電源からの電力によって内蔵バッテリー７１とモバイルバッテリー８１とを充電する場合、内蔵バッテリー７１の充電を、モバイルバッテリー８１の充電よりも優先させる。
これにより、本実施形態によれば、ＵＳＢ電源からの電力によって充電する場合であって、モバイルバッテリー８１の充電を内蔵バッテリー７１の充電よりも優先させる場合と比較して、内蔵バッテリー７１が安定的に電力を供給できる状態により早く到達するため、モバイルプリンター１を安定的に稼動することを早くすることが可能になる。このように、内蔵バッテリー７１が完全放電状態に近い状態であっても、モバイルプリンター１を安定的に稼動することを早くすることができるため、モバイルプリンター１の携帯性を高くすることが可能になる。
【００６３】
また、本実施形態に係るモバイルプリンター１において、給電端子１８１に供給されるＡＣ電源からの電力によって内蔵バッテリー７１とモバイルバッテリー８１とを充電する場合、モバイルバッテリー８１の充電の開始後に、内蔵バッテリー７１の充電を開始する。
これにより、本実施形態によれば、ＡＣ電源からの電力によって充電する場合であって、内蔵バッテリー７１の充電の開始後に、モバイルバッテリー８１の充電を開始する場合と比較して、モバイルバッテリー８１が安定的に電力を供給できる状態により早く到達し、モバイルプリンター１を安定的に稼動することを早くすることが可能になる。
【００６４】
また、本実施形態に係るモバイルプリンター１において、給電端子１９１に供給されるＵＳＢ電源からの電力によって内蔵バッテリー７１とモバイルバッテリー８１とを充電する場合、内蔵バッテリー７１の充電の開始後に、モバイルバッテリー８１の充電を開始する。
これにより、本実施形態によれば、ＵＳＢ電源からの電力によって充電する場合であって、モバイルバッテリー８１の充電の開始後に、内蔵バッテリー７１の充電を開始する場合と比較して、内蔵バッテリー７１が安定的に電力を供給できる状態により早く到達し、モバイルプリンター１を安定的に稼動することを早くすることが可能になる。
【００６５】
また、本実施形態に係るモバイルプリンター１において、給電端子１９１に供給されるＡＣ電源からの電力によって内蔵バッテリー７１とモバイルバッテリー８１とを充電する場合、モバイルバッテリー８１の満充電状態の容量以下の容量までの充電終了後に、内蔵バッテリー７１の充電を開始する。
これにより、本実施形態によれば、ＡＣ電源からの電力によって充電する場合であって、モバイルバッテリー８１の満充電状態の容量以下の容量までの充電終了前に、モバイルバッテリー８１の充電を開始する場合と比較して、モバイルバッテリー８１が安定的に電力を供給できる状態により早く到達し、モバイルプリンター１を安定的に稼動するまでの期間を短縮することが可能になる。
【００６６】
また、本実施形態に係るモバイルプリンター１において、給電端子１８１に供給されるＵＳＢ電源からの電力によって内蔵バッテリー７１とモバイルバッテリー８１とを充電する場合、内蔵バッテリー７１の満充電状態の容量以下の容量までの充電終了後に、モバイルバッテリー８１の充電を開始する。
これにより、本実施形態によれば、ＵＳＢ電源からの電力によって充電する場合であって、内蔵バッテリー７１の満充電状態の容量以下の容量までの充電終了前に、内蔵バッテリー７１の充電を開始する場合と比較して、内蔵バッテリー７１が安定的に電力を供給できる状態により早く到達し、モバイルプリンター１を安定的に稼動するまでの期間を短縮することが可能になる。
【００６７】
また、本実施形態に係るモバイルプリンター１において、モバイルバッテリー８１は、モバイルプリンター１に対して着脱可能である。これにより、モバイルバッテリー８１を装着できない場合と比較して、ＡＣ電源からの電力の供給をせずに印刷処理を継続できる時間を長くすることができる。このため、本実施形態によれば、モバイルプリンター１に対してモバイルバッテリー８１を装着できない場合と比較して、モバイルプリンター１の携帯性を高くすることが可能となる。
【００６８】
＜＜１．６．第１実施形態の変形例＞＞
以上の各形態は多様に変形され得る。具体的な変形の態様を以下に例示する。以下の例示から任意に選択される２以上の態様は、相互に矛盾しない範囲内で適宜に併合され得る。なお、以下に例示する変形例及び実施形態において作用や機能が第１実施形態と同等である要素については、以上の説明で参照済みの符号を流用して各々の詳細な説明を適宜に省略する。
【００６９】
＜変形例１．１＞
上述の形態において、ＵＳＢポート１９がホストコンピューターと電気的に接続される場合、電圧Ｖl1は、例えば、５Ｖであるが、このような態様に限定されるものではない。例えば、ＵＳＢ  ＰＤの規格に従うと、電圧Ｖl1が、５Ｖ以上も可能である。ＰＤは、Power Delievryの略称である。電圧Ｖl1が１７Ｖを超える場合、モバイル用昇圧回路６１３が不要である。
【００７０】
図１２は、変形例１におけるポータブルデバイスＰの回路構成図の一例を示す図である。図１２に示すように、デバイス側ダイオード６５５のカソードは、充電回路８２と電気的に接続されている。
【００７１】
＜変形例１．２＞
上述の各形態では、ＡＣ電源からの電力によって内蔵バッテリー７１とモバイルバッテリー８１とを充電する場合、モバイルバッテリー８１の充電の開始後に、内蔵バッテリー７１の充電を開始するという第１構成と、ＵＳＢ電源からの電力によって内蔵バッテリー７１とモバイルバッテリー８１とを充電する場合、内蔵バッテリー７１の充電の開始後に、モバイルバッテリー８１の充電を開始するという第２構成とを有するが、このような態様に限定されるものではない。例えば、第１構成を有し、第２構成を有さない態様でもよいし、第２構成を有し、第１構成を有さない態様であってもよい。第１構成を有し、第２構成を有さない態様は、例えば、ＡＣ電源からの電力によって内蔵バッテリー７１とモバイルバッテリー８１とを充電する場合、モバイルバッテリー８１の充電の開始後に、内蔵バッテリー７１の充電を開始し、ＵＳＢ電源からの電力によって内蔵バッテリー７１とモバイルバッテリー８１とを充電する場合、モバイルバッテリー８１の充電の開始後に、内蔵バッテリー７１の充電を開始する態様である。また、第２構成を有し、第１構成を有さない態様は、例えば、ＵＳＢ電源からの電力によって内蔵バッテリー７１とモバイルバッテリー８１とを充電する場合、内蔵バッテリー７１の充電の開始後に、モバイルバッテリー８１の充電を開始し、ＡＣ電源からの電力によって内蔵バッテリー７１とモバイルバッテリー８１とを充電する場合、内蔵バッテリー７１の充電の開始後に、モバイルバッテリー８１の充電を開始する態様である。
【００７２】
＜変形例１．３＞
上述の各形態において、給電端子１９１は、第２端子の一例であるが、このような態様に限定されるものではない。例えば、第２端子は、ＩＥＥＥ  １３９４の給電端子でもよい。
【００７３】
＜変形例１．４＞
上述の各形態において、給電端子１８１に電力を供給する電源は、ＡＣ電源であるが、このような態様に限定されるものではない。給電端子１８１に電力を供給する電源は、例えば、自動車のシガーライターソケットでもよい。シガーライターソケットの電圧は、例えば、１２Ｖである。
【００７４】
＜変形例１．５＞
第１実施形態では、ＡＣ電源からの電圧ＶacがＵＳＢ電源からの電圧Ｖl1より高く、且つ、ＡＣ電源からの電流がＵＳＢ電源からの電流より大きいが、このような態様に限定されるものではなく、ＡＣ電源からの電力が、ＵＳＢ電源からの電力より大きければよい。例えば、ＡＣ電源からの電流とＵＳＢ電源からの電流とが同一の値であっても、ＡＣ電源からの電圧ＶacがＵＳＢ電源からの電圧Ｖl1より高ければよい。
【００７５】
＜変形例１．６＞
上述の各形態において、キャリッジ４３及び記録ヘッド３０をＸ軸方向に往復運動するシリアル方式のモバイルプリンター１を例示するが、このような態様に限定されるものではない。吐出部が媒体の全幅にわたり分布するライン方式のモバイルプリンターにも本発明を適用することが可能である。
【００７６】
＜＜２．第２実施形態＞＞
本実施形態では、画像を表示するスマートフォン２Ａを備える、ポータブルデバイスＰAを説明する。本実施形態において、スマートフォン２Ａは、「モバイルデバイス」の一例である。
【００７７】
＜＜２．１．ポータブルデバイスＰAの概要＞＞
図１３は、ポータブルデバイスＰAを正面側から見た外観斜視図である。ポータブルデバイスＰAは、スマートフォン２Ａと、スマートフォン２Ａに対して着脱可能なモバイルバッテリーユニット８Ａと、を有する。
モバイルバッテリーユニット８Ａは、スマートフォン２Ａの背面側に装着される。図１３に示すように、モバイルバッテリーユニット８Ａは、スマートフォン２Ａを保護するカバーとしても機能する。
【００７８】
図１３に示すように、スマートフォン２Ａは、表示装置５０と、操作部１４とを、備える。本実施形態における表示装置５０は、スマートフォン２Ａ及びモバイルバッテリーユニット８Ａに関する各種情報を表示可能であり、「駆動素子」の一例である。本実施形態において、表示装置５０は、液晶パネル、電子ペーパーパネル、または、有機エレクトロルミネッセンスパネル等の表示部と、表示部を駆動する駆動回路とを含んで形成される。表示部は、「報知部」の一例である。
【００７９】
図１４は、図１３におけるＥ−ｅ線で切断する場合における、ポータブルデバイスＰAの断面構造の概略の一例を示す断面図である。図１４に示すように、モバイルバッテリーユニット８Ａは、モバイルバッテリー８１を含む。
【００８０】
図１５は、ポータブルデバイスＰAの機能構成の一例を示す機能ブロック図である。上述のとおり、ポータブルデバイスＰAは、スマートフォン２Ａとモバイルバッテリーユニット８Ａとを備える。
図１５に例示するように、スマートフォン２Ａは、スマートフォン２Ａの各部を制御する制御モジュール１０Ａと、上述の表示装置５０と、スマートフォン２Ａの各部に電力を供給可能な内蔵バッテリーモジュール７０と、スマートフォン２Ａがモバイルバッテリーユニット８Ａからの電力の供給を受けるか否かを切り替える電力供給スイッチ６００と、を備える。すなわち、本実施形態に係るスマートフォン２Ａは、機能構成の観点においては、制御モジュール１０の代わりに制御モジュール１０Ａを備える点と、駆動信号生成回路２０、記録ヘッド３０、及び、搬送モジュール４０を備えない点と、において、図４に示す第１実施形態に係るモバイルプリンター１と相違する。
図１５に例示するように、モバイルバッテリーユニット８Ａは、モバイルバッテリーユニット８Ａがスマートフォン２Ａに装着される場合に、スマートフォン２Ａの各部に電力を供給可能なモバイルバッテリーモジュール８０を備える。すなわち、本実施形態に係るモバイルバッテリーユニット８Ａは、機能構成の観点においては、図４に示す第１実施形態に係るモバイルバッテリーユニット８と同様の構成を有する。
なお、本実施形態では、第１実施形態と同様に、内蔵バッテリーモジュール７０に設けられた内蔵バッテリー７１が、「第１バッテリー」の一例であり、モバイルバッテリーモジュール８０に設けられたモバイルバッテリー８１が、「第２バッテリー」の一例である。
【００８１】
本実施形態では、一例として、制御モジュール１０Ａが、メイン制御回路１１Ａと、サブ制御回路１２と、を含む場合を想定する。メイン制御回路１１Ａは、例えば、ＣＰＵを含んで構成される。メイン制御回路１１Ａは、機能構成の観点においては、波形規定信号ｄCom、印刷信号ＳＩ、及び、搬送制御信号ＳKを出力しない点において、図４に示す第１実施形態に係るメイン制御回路１１と相違する。なお、本実施形態において、メイン制御回路１１Ａは、「第１プロセッサー」の一例である。また、本実施形態において、サブ制御回路１２は、「第２プロセッサー」の一例である。
【００８２】
＜＜２．２．ポータブルデバイスＰAの回路構成＞＞
図１６は、ポータブルデバイスＰAの回路構成図の一例である。なお、図１６では、説明の便宜上、ポータブルデバイスＰAの備える配線のうち、信号線の記載を省略し、電力線のみを記載している。
【００８３】
上述のように、ポータブルデバイスＰAは、スマートフォン２Ａと、モバイルバッテリーユニット８Ａと、を備える。
図１６に示すように、スマートフォン２Ａは、回路構成の観点においては、制御モジュール１０の代わりに制御モジュール１０Ａを備える点と、駆動信号生成回路２０、記録ヘッド３０、搬送モジュール４０、ヘッド側昇圧回路６１２、及び、周辺機能用降圧回路６２３を備えない点と、において、図６に示す第１実施形態に係るモバイルプリンター１と相違する。また、モバイルバッテリーユニット８Ａは、回路構成の観点においては、図６に示す第１実施形態に係るモバイルバッテリーユニット８と同様である。
【００８４】
＜＜２．３．充電モード＞＞
本実施形態に係るポータブルデバイスＰAは、第１実施形態に係るポータブルデバイスＰと同様に、内蔵バッテリーＡＣ充電モードと、内蔵バッテリーＵＳＢ充電モードとの、２つの内蔵バッテリー充電モードにより、内蔵バッテリー７１を充電することが可能である。また、本実施形態にポータブルデバイスＰAは、第１実施形態に係るポータブルデバイスＰと同様に、モバイルバッテリーＡＣ充電モードと、モバイルバッテリーＵＳＢ充電モードとの、２つのモバイルバッテリー充電モードにより、モバイルバッテリー８１を充電することが可能である。
【００８５】
本実施形態に係るポータブルデバイスＰAが行う充電の優先順位は、図７に示す第１実施形態に係るポータブルデバイスＰが行う充電の優先順位と同様である。換言すれば、本実施形態に係る制御モジュール１０Ａは、ポータブルデバイスＰAが充電を行う場合に、図７に示す処理を実行する。
すなわち、制御モジュール１０Ａは、ポータブルデバイスＰAが、ＡＣ電源からの電力によって内蔵バッテリー７１及びモバイルバッテリー８１を充電する場合、充電の順番として、モバイルバッテリー８１の充電を、内蔵バッテリー７１の充電よりも優先させ、モバイルバッテリー８１の充電の開始後に、内蔵バッテリー７１の充電が開始されるように、ポータブルデバイスＰAを制御する。なお、制御モジュール１０Ａは、ポータブルデバイスＰAが、ＡＣ電源からの電力によって内蔵バッテリー７１及びモバイルバッテリー８１を充電する場合、モバイルバッテリー８１の充電を開始してから、モバイルバッテリー８１の満充電状態の容量以下の容量までの充電終了後に、内蔵バッテリー７１の充電が開始されるように、ポータブルデバイスＰAを制御してもよい。
また、制御モジュール１０Ａは、ポータブルデバイスＰAが、ＵＳＢ電源からの電力によって内蔵バッテリー７１とモバイルバッテリー８１とを充電する場合、充電の順番として、内蔵バッテリー７１の充電を、モバイルバッテリー８１の充電よりも優先させ、内蔵バッテリー７１の充電を開始後に、モバイルバッテリー８１の充電が開始されるように、ポータブルデバイスＰAを制御する。なお、制御モジュール１０Ａは、ポータブルデバイスＰAが、ＵＳＢ電源からの電力によって内蔵バッテリー７１とモバイルバッテリー８１とを充電する場合、内蔵バッテリー７１の充電を開始してから、内蔵バッテリー７１の満充電状態の容量以下の容量までの充電終了後に、モバイルバッテリー８１の充電が開始されるように、ポータブルデバイスＰAを制御してもよい。
【００８６】
＜＜２．４．第２実施形態の効果＞＞
以上の説明のように、本実施形態の係るスマートフォン２Ａは、表示装置５０と、表示装置５０に電力を供給する内蔵バッテリー７１と、内蔵バッテリー７１及び表示装置５０に電力を供給するモバイルバッテリー８１を充電する電力が供給される給電端子１８１と、内蔵バッテリー７１及びモバイルバッテリー８１を充電する電力が供給される給電端子１９１と、を備える。モバイルバッテリー８１の蓄電容量は、内蔵バッテリー７１の蓄電容量より大きい。給電端子１８１に供給されるＡＣ電源からの電力は、給電端子１９１に供給されるＵＳＢ電源からの電力よりも大きい。スマートフォン２Ａは、ＡＣ電源からの電力によって内蔵バッテリー７１とモバイルバッテリー８１とを充電する場合、モバイルバッテリー８１の充電を、内蔵バッテリー７１の充電よりも優先させる。
これにより、本実施形態によれば、ＡＣ電源からの電力によって充電する場合であって、内蔵バッテリー７１の充電をモバイルバッテリー８１の充電よりも優先させる場合と比較して、モバイルバッテリー８１が安定的に電力を供給できる状態により早く到達するため、スマートフォン２Ａを安定的に稼動することを早くすることが可能になる。このように、モバイルバッテリー８１が完全放電状態に近い状態であっても、スマートフォン２Ａを安定的に稼動することを早くすることができるため、スマートフォン２Ａの携帯性を高くすることが可能になる。
【００８７】
また、本実施形態の係るスマートフォン２Ａは、表示装置５０と、表示装置５０に電力を供給する内蔵バッテリー７１と、内蔵バッテリー７１及び表示装置５０に電力を供給するモバイルバッテリー８１を充電する電力が供給される給電端子１８１と、内蔵バッテリー７１及びモバイルバッテリー８１を充電する電力が供給される給電端子１９１と、を備える。モバイルバッテリー８１の蓄電容量は、内蔵バッテリー７１の蓄電容量より大きい。給電端子１８１に供給されるＡＣ電源からの電力は、給電端子１９１に供給されるＵＳＢ電源からの電力より大きい。ＵＳＢ電源からの電力によって内蔵バッテリー７１とモバイルバッテリー８１とを充電する場合、内蔵バッテリー７１の充電を、モバイルバッテリー８１の充電よりも優先させる。
これにより、本実施形態によれば、ＵＳＢ電源からの電力によって充電する場合であって、モバイルバッテリー８１の充電を内蔵バッテリー７１の充電よりも優先させる場合と比較して、内蔵バッテリー７１が安定的に電力を供給できる状態により早く到達するため、スマートフォン２Ａを安定的に稼動することを早くすることが可能になる。このように、モバイルバッテリー８１が完全放電状態に近い状態であっても、スマートフォン２Ａを安定的に稼動することを早くすることができるため、スマートフォン２Ａの携帯性を高くすることが可能になる。
【００８８】
＜＜３．第３実施形態＞＞
本実施形態では、画像を表示するスマートフォン２Ｂを備える、ポータブルデバイスＰBを説明する。本実施形態において、スマートフォン２Ｂは、「モバイルデバイス」の一例である。
【００８９】
＜＜３．１．ポータブルデバイスＰBの概要＞＞
図１７は、ポータブルデバイスＰBの機能構成の一例を示す機能ブロック図である。図１７に示すように、ポータブルデバイスＰBは、スマートフォン２Ｂと、スマートフォン２Ｂに対して着脱可能なモバイルバッテリーユニット８Ｂとを備える。
図１７に例示するように、スマートフォン２Ｂは、スマートフォン２Ｂの各部を制御する制御モジュール１０Ｂと、各種情報を表示可能な表示装置５０と、スマートフォン２Ｂの各部に電力を供給可能な内蔵バッテリーモジュール７０と、スマートフォン２Ｂがモバイルバッテリーユニット８Ｂからの電力の供給を受けるか否かを切り替える電力供給スイッチ６００と、を備える。すなわち、本実施形態に係るスマートフォン２Ｂは、機能構成の観点においては、制御モジュール１０の代わりに制御モジュール１０Ｂを備える点と、駆動信号生成回路２０、記録ヘッド３０、及び、搬送モジュール４０を備えない点と、において、図４に示す第１実施形態に係るモバイルプリンター１と相違する。なお、本実施形態において、電力供給スイッチ６００は、「スイッチ」の一例である。
図１７に例示するように、モバイルバッテリーユニット８Ｂは、モバイルバッテリーユニット８Ｂがスマートフォン２Ｂに装着される場合に、スマートフォン２Ｂの各部に電力を供給可能なモバイルバッテリーモジュール８０を備える。すなわち、本実施形態に係るモバイルバッテリーユニット８Ｂは、機能構成の観点においては、図４に示す第１実施形態に係るモバイルバッテリーユニット８と同様の構成を有する。
【００９０】
なお、本実施形態において、スマートフォン２Ｂに設けられた表示装置５０は、スマートフォン２Ｂ及びモバイルバッテリーユニット８Ｂに関する各種情報を表示可能であり、「駆動素子」の一例である。表示装置５０は、液晶パネル、電子ペーパーパネル、または、有機エレクトロルミネッセンスパネル等の表示部と、表示部を駆動する駆動回路とを含んで形成される。表示部は、「報知部」の一例である。
また、本実施形態では、内蔵バッテリーモジュール７０に設けられた内蔵バッテリー７１が、「第１バッテリー」の一例であり、モバイルバッテリーモジュール８０に設けられたモバイルバッテリー８１が、「第２バッテリー」の一例である。
【００９１】
本実施形態では、一例として、制御モジュール１０Ｂが、メイン制御回路１１Ｂと、サブ制御回路１２と、を含む場合を想定する。メイン制御回路１１Ｂは、例えば、ＣＰＵを含んで構成される。メイン制御回路１１Ｂは、機能構成の観点においては、波形規定信号ｄCom、印刷信号ＳＩ、及び、搬送制御信号ＳKを出力しない点において、図４に示す第１実施形態に係るメイン制御回路１１と相違する。なお、本実施形態において、メイン制御回路１１Ｂは、「第１プロセッサー」の一例である。また、本実施形態において、サブ制御回路１２は、「第２プロセッサー」の一例である。
なお、本実施形態において、メイン制御回路１１Ｂは、表示装置５０に設けられた表示部に対して、内蔵バッテリー７１の残容量及びモバイルバッテリー８１の残容量を表示させる。
【００９２】
＜＜３．２．ポータブルデバイスＰBの回路構成＞＞
図１８は、ポータブルデバイスＰBの回路構成図の一例である。なお、図１８では、説明の便宜上、ポータブルデバイスＰBの備える配線のうち、信号線の記載を省略し、電力線のみを記載している。
【００９３】
上述のように、ポータブルデバイスＰBは、スマートフォン２Ｂと、モバイルバッテリーユニット８Ｂと、を備える。
図１８に示すように、スマートフォン２Ｂは、回路構成の観点においては、制御モジュール１０Ａの代わりに制御モジュール１０Ｂを備える点と、給電端子１８１、サブ側降圧回路６２１、デバイス側ダイオード６５３、デバイス側ダイオード６５４、及び、ノードｎd3を備えない点と、において、図１６に示す第２実施形態に係るスマートフォン２Ａと相違する。また、モバイルバッテリーユニット８Ｂは、回路構成の観点においては、モバイル側ダイオード８０８を備えない点において、図１６に示す第２実施形態に係るモバイルバッテリーユニット８Ａと相違する。
【００９４】
なお、本実施形態では、図１８に示すように、内蔵バッテリーモジュール７０のうち、内蔵バッテリー用昇圧回路７３、及び、内蔵バッテリー用ダイオード７４を、停止回路７００と称する。ここで、停止回路７００は、「停止部」の一例である。また、内蔵バッテリー用昇圧回路７３は、「昇圧部」の一例である。また、内蔵バッテリー用ダイオード７４は、「ダイオード」の一例である。
【００９５】
＜＜３．３．電力供給モード＞＞
以下、図１９Ａ乃至図２１を参照しつつ、本実施形態に係るポータブルデバイスＰBにおける、制御モジュール１０Ｂ、及び、表示装置５０等の、電力供給対象に対する電力の供給の具体的な態様を説明する。
【００９６】
本実施形態におけるポータブルデバイスＰBは、内蔵バッテリー電力供給モードと、モバイルバッテリー電力供給モードとの、２つの電力供給モードにより、電力供給対象に対する電力の供給が可能である。ここで、内蔵バッテリー電力供給モードとは、内蔵バッテリー７１から電力供給対象に対して電力の供給を行う電力供給モードである。また、モバイルバッテリー電力供給モードとは、モバイルバッテリー８１から電力供給対象に対して電力の供給を行う電力供給モードである。
【００９７】
メイン制御回路１１Ｂは、状態信号Ｓb及び装着信号Ｓcの一方または両方に基づいて、電力供給モードを、内蔵バッテリー電力供給モードまたはモバイルバッテリー電力供給モードに設定する。
図１９Ａは、メイン制御回路１１Ｂによる電力供給モードの設定に関するフローチャートである。
図１９Ａに示すように、メイン制御回路１１Ｂは、ステップＳ１０１において、装着信号Ｓcが、モバイルバッテリーユニット８Ｂがスマートフォン２Ｂに装着されていることを、示しているか否かを判定する。
また、メイン制御回路１１Ｂは、ステップＳ１０２において、状態信号Ｓbが、モバイルバッテリー８１から供給される電圧Ｖb2が閾値電圧Ｖth以上であることを、示しているか否かを判定する。
そして、メイン制御回路１１Ｂは、ステップＳ１０１における判定の結果が肯定であり、且つ、ステップＳ１０２における判定の結果が肯定である場合、ステップＳ１０３として、電力供給モードを、モバイルバッテリー電力供給モードに設定する。
他方、メイン制御回路１１Ｂは、ステップＳ１０１における判定の結果が否定である場合、または、ステップＳ１０２における判定の結果が否定である場合、ステップＳ１０４として、電力供給モードを、内蔵バッテリー電力供給モードに設定する。
なお、本実施形態において、閾値電圧Ｖthは、「第１電圧」の一例である。
【００９８】
なお、図１９Ａは、本実施形態に係る電力供給モードの設定に関する処理の一例であり、メイン制御回路１１Ｂは、図１９Ａとは異なる処理により、電力供給モードを設定してもよい。
図１９Ｂは、メイン制御回路１１Ｂによる電力供給モードの設定に関する処理の他の例を示すフローチャートである。
メイン制御回路１１Ｂは、図１９Ｂに示すように、ステップＳ１０１における判定の結果が肯定であり、且つ、ステップＳ１０２における判定の結果が否定である場合、内蔵バッテリー７１の電圧Ｖb1を内蔵バッテリー用昇圧回路７３により閾値電圧Ｖth以上に昇圧可能であるか否かを判定する（Ｓ１１０）。なお、メイン制御回路１１Ｂは、ステップＳ１１０において、内蔵バッテリー７１の電圧Ｖb1を内蔵バッテリー用昇圧回路７３により電圧Ｖh1以上に昇圧可能であるか否かを判定してもよい。また、メイン制御回路１１Ｂは、ステップＳ１１０において、内蔵バッテリー７１の電圧Ｖb1が、基準電圧Ｖb0以上であるか否かを判定してもよい。ここで、基準電圧Ｖb0とは、例えば、０Ｖよりも高電圧であり、且つ、内蔵バッテリー７１が満充電状態であるときの電圧Ｖb1よりも低電圧の、予め定められた電圧である。
そして、メイン制御回路１１Ｂは、ステップＳ１０１における判定の結果が肯定であり且つステップＳ１０２における判定の結果が肯定である場合、または、ステップＳ１１０における判定の結果が否定である場合、電力供給モードを、モバイルバッテリー電力供給モードに設定する（Ｓ１０３）。他方、メイン制御回路１１Ｂは、ステップＳ１０１における判定の結果が否定である場合、または、ステップＳ１１０における判定の結果が肯定である場合、電力供給モードを、内蔵バッテリー電力供給モードに設定する（Ｓ１０４）。
このように、本実施形態において、メイン制御回路１１Ｂは、図１９Ａまたは図１９Ｂに例示するように、モバイルバッテリー８１からの電力の供給を、内蔵バッテリー７１からの電力の供給よりも優先するように、電力供給モードを設定すればよい。なお、本実施形態における電力供給モードの設定に関する処理は、図１９Ａまたは図１９Ｂに示す例に限定されるものではなく、モバイルバッテリー８１からの電力の供給を、内蔵バッテリー７１からの電力の供給よりも優先するものであれば、どのような処理であってもよい。
【００９９】
図２０は、内蔵バッテリー電力供給モードによる電力の供給を示す図である。
メイン制御回路１１Ｂは、電力供給モードを、内蔵バッテリー電力供給モードに設定する場合、内蔵バッテリー用昇圧回路７３に対して、昇圧することを指定する制御信号ＳSを供給することで、内蔵バッテリー用昇圧回路７３に対して、内蔵バッテリー７１が出力する電圧Ｖb1を、電圧Ｖh1に昇圧させる。また、メイン制御回路１１Ｂは、電力供給モードを、内蔵バッテリー電力供給モードに設定する場合、電力供給スイッチ６００に対して、オフを指定する指定信号Ｓnを供給することで、電力供給スイッチ６００をオフする。
内蔵バッテリー電力供給モードにおいて、内蔵バッテリー用昇圧回路７３は、内蔵バッテリー７１から供給される電圧Ｖb1を、電圧Ｖh1に昇圧し、当該昇圧後の電圧Ｖh1を、内蔵バッテリー用ダイオード７４を介して、ノードｎd1に供給する。そして、メイン側降圧回路６２２は、ノードｎd1を介して供給される電圧Ｖh1を、電圧Ｖl2及び電圧Ｖl1に降圧し、当該降圧後の電圧Ｖl2及び電圧Ｖl1を、制御モジュール１０Ｂに供給する。また、ノードｎd1を介して供給される電圧Ｖh1を、表示装置５０に供給する。
【０１００】
なお、内蔵バッテリー電力供給モードにおいて、内蔵バッテリー７１は、表示装置５０に対して、内蔵バッテリー電力供給経路ＲT1により、電力を供給する。内蔵バッテリー電力供給経路ＲT1は、「第１経路」の一例である。図２０に示すように、内蔵バッテリー電力供給経路ＲT1は、内蔵バッテリー７１を始点とし、内蔵バッテリー用昇圧回路７３、内蔵バッテリー用ダイオード７４、及び、ノードｎd1を経由し、表示装置５０を終点とする経路である。
【０１０１】
図２１は、モバイルバッテリー電力供給モードによる電力の供給を示す図である。
メイン制御回路１１Ｂは、電力供給モードを、モバイルバッテリー電力供給モードに設定する場合、内蔵バッテリー用昇圧回路７３に対して、昇圧しないことを指定する制御信号ＳSを供給することで、内蔵バッテリー用昇圧回路７３に対して、内蔵バッテリー７１が出力する電圧Ｖb1を、昇圧することなく、内蔵バッテリー用ダイオード７４に対して出力させる。また、メイン制御回路１１Ｂは、電力供給モードを、モバイルバッテリー電力供給モードに設定する場合、電力供給スイッチ６００に対して、オンを指定する指定信号Ｓnを供給することで、電力供給スイッチ６００をオンする。
【０１０２】
モバイルバッテリー電力供給モードにおいて、電力供給スイッチ６００がオンしているため、モバイル側ダイオード８０２のカソードと、内蔵バッテリー用ダイオード７４のカソードとが、電気的に接続している。そして、モバイル側ダイオード８０２のアノードに供給される電圧Ｖb2は、内蔵バッテリー用ダイオード７４のアノードに供給される電圧Ｖb1よりも、高電圧である。このため、モバイル側ダイオード８０２からノードｎd1に対して電流が流れ込むのに対して、内蔵バッテリー用ダイオード７４はオフするため、内蔵バッテリー用ダイオード７４からノードｎd1に対して電流が流れ込むことはない。このように、モバイルバッテリー電力供給モードにおいて、モバイルバッテリー８１は、モバイル側ダイオード８０２及び電力供給スイッチ６００を介して、ノードｎd1に対して、電圧Ｖb2を供給する。
そして、モバイルバッテリー電力供給モードにおいて、メイン側降圧回路６２２は、ノードｎd1を介してモバイルバッテリー８１から供給される電圧Ｖb2を、電圧Ｖl2及び電圧Ｖl1に降圧し、当該降圧後の電圧Ｖl2及び電圧Ｖl1を、制御モジュール１０Ｂに供給する。また、ノードｎd1を介して供給される電圧Ｖb2は、表示装置５０に供給される。
【０１０３】
なお、モバイルバッテリー電力供給モードにおいて、モバイルバッテリーモジュール８０は、表示装置５０に対して、モバイルバッテリー電力供給経路ＲT2により、電力を供給する。モバイルバッテリー電力供給経路ＲT2は、「第２経路」の一例である。図２１に示すように、モバイルバッテリー電力供給経路ＲT2は、モバイルバッテリー８１を始点とし、モバイル側ダイオード８０２、電力供給スイッチ６００、及び、ノードｎd1、を経由し、表示装置５０を終点とする経路である。すなわち、ノードｎd1は、「第１経路及び第２経路に共通のノード」となる。なお、本実施形態において、ノードｎd1は、バス配線であってもよい。
【０１０４】
＜＜３．４．第３実施形態の効果＞＞
以上のように、本実施形態に係るスマートフォン２Ｂは、モバイルバッテリーユニット８Ｂを装着することができるため、モバイルバッテリーユニット８Ｂを装着できない場合と比較して、ＡＣ電源等の商用電源からの電力の供給をせずに駆動可能な時間を長くすることができる。このため、本実施形態によれば、スマートフォン２Ｂに対してモバイルバッテリーユニット８Ｂを装着できない場合と比較して、スマートフォン２Ｂの携帯性を高くすることが可能となる。
【０１０５】
また、本実施形態に係るスマートフォン２Ｂは、表示装置５０と、表示装置５０に電力を供給可能な内蔵バッテリー７１と、表示装置５０に電力を供給可能であり着脱可能なモバイルバッテリー８１の電圧が表示装置５０を駆動可能な閾値電圧Ｖth以上の場合、内蔵バッテリー７１の電力の供給を停止する停止回路７００と、を備える。
【０１０６】
持ち運びやすさに利点を有するモバイルデバイスにおいては、場所を選ばず、任意の場所で使用できるという点が求められる。言い換えれば、ＡＣ電源の場所に依存せずにモバイルデバイスが利用できることが求められる。
本実施形態に係るスマートフォン２Ｂは、モバイルバッテリー８１の電圧が閾値電圧Ｖth以上である場合、内蔵バッテリー７１の電力の供給を停止するので、モバイルバッテリー８１の電力が優先して使用される。モバイルバッテリー８１の電力が使用され、モバイルバッテリー８１の電圧が閾値電圧Ｖth未満となる場合、モバイルバッテリー８１をＡＣ電源で充電しながら、スマートフォン２Ｂを内蔵バッテリー７１によって動作させることが可能となる。モバイルバッテリーユニット８Ｂはスマートフォン２Ｂから取り外すことができるため、モバイルバッテリー８１をＡＣ電源で充電する場合に、ＡＣ電源とスマートフォン２Ｂとが離れていてもよい。このように、本実施形態によれば、モバイルバッテリー８１を充電する場合においても、スマートフォン２Ｂの設置場所が限定されないため、任意の場所において表示装置５０を駆動しつつ、モバイルバッテリー８１の充電をすることが可能になる。
他方、仮に、内蔵バッテリー７１から表示装置５０に優先して電力を供給する場合、内蔵バッテリー７１が完全放電状態になると、モバイルバッテリー８１からの電力の供給が必要となる。そして、内蔵バッテリー７１が完全放電状態となった後、スマートフォン２Ｂがモバイルバッテリー８１から給電されている場合には、モバイルバッテリーユニット８Ｂをスマートフォン２Ｂから取り外すことができない。このため、モバイルバッテリー８１が完全放電状態になると、表示装置５０が駆動を完全に停止してしまう。よって、内蔵バッテリー７１から表示装置５０に優先して電力を供給する場合において、モバイルバッテリー８１が完全放電状態となった後においても表示装置５０の駆動を継続させるためには、ＡＣ電源の近傍にスマートフォン２Ｂを移動する必要がある。
これに対して、本実施形態によれば、スマートフォン２Ｂの使用場所を任意の場所とする場合であっても、内蔵バッテリー７１からの給電を優先する場合と比較して、表示装置５０の駆動ができない時間を短縮することが可能になる。また、本実施形態によれば、内蔵バッテリー７１からの給電を優先する場合と比較して、スマートフォン２Ｂの使用場所が限定されないため、使用場所が限定されずにスマートフォン２Ｂを長時間使用することが可能になる。
【０１０７】
また、本実施形態に係るスマートフォン２Ｂにおいて、内蔵バッテリー７１の満充電状態の電圧Ｖb1は閾値電圧Ｖthより低く、内蔵バッテリー７１から表示装置５０に電力を供給する内蔵バッテリー電力供給経路ＲT1、及び、モバイルバッテリー８１から表示装置５０に電力を供給するモバイルバッテリー電力供給経路ＲT2に共通のノードｎd1、を備える。停止回路７００は、内蔵バッテリー電力供給経路ＲT1上に設けられ、内蔵バッテリー７１の電圧Ｖb1を昇圧するか否かを切り替え可能な内蔵バッテリー用昇圧回路７３と、内蔵バッテリー電力供給経路ＲT1上に設けられ、アノードが内蔵バッテリー用昇圧回路７３と電気的に接続され、カソードがノードｎd1と電気的に接続される内蔵バッテリー用ダイオード７４と、を備える。
このように、本実施形態によれば、内蔵バッテリー用昇圧回路７３により、内蔵バッテリー７１の電圧Ｖb1の昇圧を停止することができる。このため、本実施形態によれば、モバイルバッテリー８１の電圧Ｖb2が閾値電圧Ｖth以上の場合、内蔵バッテリー用ダイオード７４をオフさせることができる。すなわち、本実施形態によれば、モバイルバッテリー８１の電圧Ｖb2が閾値電圧Ｖth以上の場合に内蔵バッテリー７１からの給電を停止し、モバイルバッテリー８１からの給電を優先できる。従って、本実施形態によれば、モバイルバッテリー８１から表示装置５０に対して給電する際に内蔵バッテリー７１からの表示装置５０への給電を停止しない態様と比較して、内蔵バッテリー７１の残容量が低減することを抑制することが可能となる。
さらに、停止回路７００は、内蔵バッテリー７１からの電力の出力を完全に停止しておらず、内蔵バッテリー用昇圧回路７３による内蔵バッテリー７１の電圧Ｖb1の昇圧を停止しているに過ぎない。内蔵バッテリー７１の電圧Ｖb1の昇圧を停止する状態から電圧Ｖb1を昇圧するまでにかかる時間は、内蔵バッテリー７１の電力の出力を停止する状態から電力を出力するまでにかかる時間より短い。従って、本実施形態によれば、内蔵バッテリー７１の電力の出力を完全に停止する場合と比較して、モバイルバッテリーユニット８Ｂが不意に取り外れてから表示装置５０に再び電力を供給できるまでの時間を短くすることが可能になる。
【０１０８】
また、本実施形態に係るスマートフォン２Ｂにおいて、内蔵バッテリー用昇圧回路７３は、モバイルバッテリー８１の電圧Ｖb2が閾値電圧Ｖth以上の場合、内蔵バッテリー７１の電圧Ｖb1の昇圧を停止し、モバイルバッテリー８１の電圧Ｖb2が閾値電圧Ｖth未満の場合、内蔵バッテリー７１の電圧Ｖb1を閾値電圧Ｖth以上の電圧に昇圧する。
このため、本実施形態によれば、モバイルバッテリー８１の電圧Ｖb2が閾値電圧Ｖth以上の場合、内蔵バッテリー用ダイオード７４をオフさせることができる。すなわち、本実施形態によれば、モバイルバッテリー８１の電圧Ｖb2が閾値電圧Ｖth以上の場合に内蔵バッテリー７１からの給電を停止し、モバイルバッテリー８１からの給電を優先できる。従って、本実施形態によれば、モバイルバッテリー８１の電圧Ｖb2が閾値電圧Ｖth以上であっても内蔵バッテリー７１の電圧Ｖb1を昇圧させる態様と比較して、内蔵バッテリー７１の残容量が低減することを抑制することが可能となる。
また、本実施形態によれば、モバイルバッテリー８１の電圧Ｖb2が閾値電圧Ｖth以上の場合に内蔵バッテリー７１の電力の出力を完全に停止する態様と比較して、モバイルバッテリーユニット８Ｂが不意に取り外れてから表示装置５０に再び電力を供給できるまでの時間を短くすることが可能になる。
【０１０９】
また、本実施形態に係るスマートフォン２Ｂにおいて、モバイルバッテリー電力供給経路ＲT2上に設けられ、モバイルバッテリー８１の電圧Ｖb2が閾値電圧Ｖth以上の場合にオンし、モバイルバッテリー８１の電圧Ｖb2が閾値電圧Ｖth未満の場合にオフする電力供給スイッチ６００を備える。
これにより、モバイルバッテリーユニット８Ｂが装着されていても、電力供給スイッチ６００をオフすることにより、モバイルバッテリー８１からの電力の供給を停止させ、内蔵バッテリー７１に電力を供給させることが可能になる。
【０１１０】
また、本実施形態に係るスマートフォン２Ｂにおいて、モバイルバッテリー８１の最大容量は、内蔵バッテリー７１の最大容量より大きい。
このため、本実施形態に係るスマートフォン２Ｂは、モバイルバッテリー８１の最大容量が内蔵バッテリー７１の最大容量以下である場合と比較して、スマートフォン２Ｂの携帯性を高くすることが可能となる。
【０１１１】
また、本実施形態に係るスマートフォン２Ｂにおいて、表示装置５０は、モバイルバッテリー８１の容量を表示する表示部を備える。例えば、表示装置５０の表示部は、モバイルバッテリー８１が完全放電状態である場合に、モバイルバッテリー８１の残容量が「０％」である旨を表示し、モバイルバッテリー８１が満充電状態である場合に、モバイルバッテリー８１の残容量が「１００％」である旨を表示してもよい。
モバイルバッテリー８１が完全放電状態である場合、ポータブルデバイスＰBのユーザーは、表示装置５０を見ることによって、モバイルバッテリー８１が完全放電状態であり充電が必要であることに気づくことが可能になる。従って、ユーザーは、モバイルバッテリー８１が完全放電状態になる前にモバイルバッテリー８１の充電が必要であることに気づいてモバイルバッテリー８１の充電作業をすることにより、表示装置５０を駆動できない時間を短縮することが可能になる。
【０１１２】
＜＜３．５．第３実施形態の変形例＞＞
本実施形態に係る具体的な変形の態様を以下に例示する。以下の例示から任意に選択される２以上の態様は、相互に矛盾しない範囲内で適宜に併合され得る。
【０１１３】
＜変形例３．１＞
上述の形態において、停止回路７００が、内蔵バッテリー用昇圧回路７３と内蔵バッテリー用ダイオード７４とを含む構成を例示するが、このような態様に限定されるものではない。例えば、停止回路７００は、内蔵バッテリー用ダイオード７４の代わりに、スイッチを備えてもよい。メイン制御回路１１Ｂは、モバイルバッテリー８１の電圧Ｖb2が閾値電圧Ｖth以上の場合、停止回路７００のスイッチをオフして内蔵バッテリー７１から表示装置５０に対する電力の供給を停止し、モバイルバッテリー８１の電圧Ｖb2が閾値電圧Ｖth未満の場合、停止回路７００のスイッチをオンして内蔵バッテリー７１から表示装置５０に対して電力を供給させてもよい。
【０１１４】
＜変形例３．２＞
上述の各形態では、メイン制御回路１１Ｂが電力供給スイッチ６００と内蔵バッテリー用昇圧回路７３とを制御する機能を有するが、このような態様に限定されるものではない。例えば、サブ制御回路１２が、電力供給スイッチ６００と内蔵バッテリー用昇圧回路７３とを制御する機能を有していてもよい。この場合、サブ制御回路１２が、「第１プロセッサー」の一例である。
【０１１５】
＜変形例３．３＞
上述の各形態において、表示装置５０は、モバイルバッテリー８１の残容量以外の情報を表示可能であってもよい。
例えば、表示装置５０は、スマートフォン２Ｂが表示装置５０において動画を再生する場合に、モバイルバッテリー８１及び内蔵バッテリー７１が完全放電状態となる前に当該動画の再生を終了できるか否かを示す情報を表示可能であってもよい。この場合、スマートフォン２Ｂは、動画に関するデータと、当該動画の再生に要する時間長に関するデータとを記憶する記憶装置を備えていてもよい。そして、この場合、メイン制御回路１１Ｂは、記憶装置に記憶されているデータに基づいて、モバイルバッテリー８１及び内蔵バッテリー７１が完全放電状態となる前に、記憶装置に記憶されている動画の再生を終了できるか否かを判定し、当該判定の結果を表示装置５０に表示させてもよい。
【０１１６】
＜変形例３．４＞
上述の各形態において、表示装置５０の表示部がモバイルバッテリー８１の残容量を表示する構成を例示するが、このような態様に限定されるものではない。例えば、スマートフォン２Ｂが有する駆動素子が、モバイルバッテリー８１の残容量を報知してもよい。具体的には、スマートフォン２Ｂは、駆動素子としてスピーカーを有してもよい。このスピーカーは、音声によって、モバイルバッテリー８１の容量をユーザーに報知してもよい。
【０１１７】
＜変形例３．５＞
上述の各形態において、表示装置５０を「駆動素子」とする構成を例示するが、このような態様に限定されるものではない。例えば、スマートフォン２Ｂが撮像素子を有するならば、この撮像素子を、「駆動素子」の一例としてもよい。
【０１１８】
＜＜４．第４実施形態＞＞
本実施形態では、画像を表示するスマートフォン２Ｃを含む、ポータブルデバイスＰＣを説明する。本実施形態において、スマートフォン２Ｃは、「モバイルデバイス」の一例である。
【０１１９】
＜＜４．１．ポータブルデバイスＰＣの概要＞＞
図２２は、ポータブルデバイスＰＣの機能構成の一例を示す機能ブロック図である。図２２に示すように、ポータブルデバイスＰＣは、スマートフォン２Ｃと、スマートフォン２Ｃに対して着脱可能なモバイルバッテリーユニット８Ｂとを備える。
図２２に例示するように、スマートフォン２Ｃは、スマートフォン２Ｃの各部を制御する制御モジュール１０Ｃと、各種情報を表示可能な表示装置５０と、スマートフォン２Ｃの各部に電力を供給可能な内蔵バッテリーモジュール７０Ｃと、スマートフォン２Ｃがモバイルバッテリーユニット８Ｂからの電力の供給を受けるか否かを切り替える電力供給スイッチ６００と、を備える。すなわち、本実施形態に係るスマートフォン２Ｃは、機能構成の観点においては、制御モジュール１０Ｂの代わりに制御モジュール１０Ｃを備える点と、内蔵バッテリーモジュール７０の代わりに内蔵バッテリーモジュール７０Ｃを備える点と、において、図１７に示す第３実施形態に係るスマートフォン２Ｂと相違する。
図２２に例示するように、モバイルバッテリーユニット８Ｂは、上述のとおり、モバイルバッテリーモジュール８０を備える。
【０１２０】
なお、本実施形態において、スマートフォン２Ｃに設けられた表示装置５０は、スマートフォン２Ｃ及びモバイルバッテリーユニット８Ｂに関する各種情報を表示可能であり、「駆動素子」の一例である。
また、本実施形態において、内蔵バッテリーモジュール７０Ｃは、内蔵バッテリー７１を備える。そして、本実施形態においても、内蔵バッテリーモジュール７０Ｃに設けられた内蔵バッテリー７１が、「第１バッテリー」の一例であり、モバイルバッテリーモジュール８０に設けられたモバイルバッテリー８１が、「第２バッテリー」の一例である。
【０１２１】
本実施形態では、一例として、制御モジュール１０Ｃが、メイン制御回路１１Ｃと、サブ制御回路１２と、を含む場合を想定する。メイン制御回路１１Ｃは、例えば、ＣＰＵを含んで構成される。メイン制御回路１１Ｃは、機能構成の観点においては、制御信号ＳSの代わりに、制御信号ＳSMを出力する点において、図１７に示す第３実施形態に係るメイン制御回路１１Ｂと相違する。なお、本実施形態において、メイン制御回路１１Ｃは、「第１プロセッサー」の一例である。また、本実施形態において、サブ制御回路１２は、「第２プロセッサー」の一例である。
なお、本実施形態において、メイン制御回路１１Ｃは、表示装置５０に設けられた表示部に対して、内蔵バッテリー７１の残容量及びモバイルバッテリー８１の残容量を表示させる。
【０１２２】
＜＜４．２．ポータブルデバイスＰＣの回路構成＞＞
図２３は、ポータブルデバイスＰＣの回路構成図の一例である。なお、図２３では、説明の便宜上、ポータブルデバイスＰＣの備える配線のうち、信号線の記載を省略し、電力線のみを記載している。
【０１２３】
上述のように、ポータブルデバイスＰＣは、スマートフォン２Ｃと、モバイルバッテリーユニット８Ｂと、を備える。
図２３に示すように、スマートフォン２Ｃは、回路構成の観点においては、制御モジュール１０Ｂの代わりに制御モジュール１０Ｃを備える点と、内蔵バッテリーモジュール７０の代わりに内蔵バッテリーモジュール７０Ｃを備える点と、において、図１８に示す第３実施形態に係るスマートフォン２Ｂと相違する。図２３に示すように、内蔵バッテリーモジュール７０Ｃは、内蔵バッテリー７１、充電回路７２、内蔵バッテリー用昇圧回路７３Ｃ、及び、内蔵バッテリー用ダイオード７４を備える。すなわち、内蔵バッテリーモジュール７０Ｃは、内蔵バッテリー用昇圧回路７３の代わりに内蔵バッテリー用昇圧回路７３Ｃを備える点において、図１８に示す第３実施形態に係る内蔵バッテリーモジュール７０と相違する。
本実施形態では、図２３に示すように、スマートフォン２Ｃのうち、内蔵バッテリー用ダイオード７４、及び、ノードｎd1を、供給部５００と称する場合がある。なお、内蔵バッテリー用昇圧回路７３Ｃは、「昇圧部」の一例である。また、内蔵バッテリー用ダイオード７４は、「ダイオード」の一例である。
【０１２４】
内蔵バッテリー用昇圧回路７３Ｃは、内蔵バッテリー７１から出力される電圧Ｖb1を昇圧し、内蔵バッテリー用ダイオード７４のアノードに供給する。本実施形態において、内蔵バッテリー用昇圧回路７３Ｃは、メイン制御回路１１Ｃから供給される制御信号ＳSMに基づいて、第１昇圧モードと第２昇圧モードとの２つの昇圧モードにより、昇圧する電圧を切り替え可能である。ここで、制御信号ＳSMとは、内蔵バッテリー用昇圧回路７３Ｃにおける昇圧モードを指定する信号である。
具体的には、内蔵バッテリー用昇圧回路７３Ｃは、制御信号ＳSMが第１昇圧モードによる昇圧を指定する場合、内蔵バッテリー７１の出力する電圧Ｖb1を、モバイルバッテリー８１の電圧Ｖb2よりも低い第１駆動電圧Ｖh11に昇圧する。また、内蔵バッテリー用昇圧回路７３Ｃは、制御信号ＳSMが第２昇圧モードによる昇圧を指定する場合、内蔵バッテリー７１の出力する電圧Ｖb1を、第１駆動電圧Ｖh11以上の電圧であって、閾値電圧Ｖth以上の第２駆動電圧Ｖh12に昇圧する。
なお、本実施形態においても、電圧Ｖb2は、モバイルバッテリー８１が満充電状態である場合、閾値電圧Ｖth以上の電圧となる。このため、電圧Ｖb2が閾値電圧Ｖthよりも高電圧である場合には、第１駆動電圧Ｖh11は、電圧Ｖb1よりも高電圧であり、且つ、閾値電圧Ｖth以下の電圧となる。また、電圧Ｖb2と閾値電圧Ｖthとが等しい場合には、第１駆動電圧Ｖh11は、電圧Ｖb1よりも高電圧であり、且つ、閾値電圧Ｖthよりも低電圧となる。なお、本実施形態において、閾値電圧Ｖthは、「第１電圧」の一例である。
【０１２５】
供給部５００は、モバイルバッテリー８１の電圧Ｖb2が閾値電圧Ｖth以上の場合、モバイルバッテリー８１からの電力を表示装置５０等の電力供給対象に供給する。また、供給部５００は、モバイルバッテリー８１の電圧Ｖb2が閾値電圧Ｖth未満の場合、内蔵バッテリー７１からの電力を電力供給対象に供給する。すなわち、供給部５００は、電力供給対象に対して、内蔵バッテリー７１からの電力よりも、モバイルバッテリー８１からの電力を優先して供給する。
【０１２６】
＜＜４．３．電力供給モード＞＞
以下、図２４Ａ乃至図２６を参照しつつ、本実施形態に係るポータブルデバイスＰＣにおける、制御モジュール１０Ｃ、及び、表示装置５０等の、電力供給対象に対する電力の供給の具体的な態様を説明する。
【０１２７】
本実施形態におけるポータブルデバイスＰＣは、内蔵バッテリー電力供給モードと、モバイルバッテリー電力供給モードとの、２つの電力供給モードにより、電力供給対象に対する電力の供給が可能である。
【０１２８】
メイン制御回路１１Ｃは、状態信号Ｓb及び装着信号Ｓcの一方または両方に基づいて、電力供給モードを、内蔵バッテリー電力供給モードまたはモバイルバッテリー電力供給モードに設定する。
図２４Ａは、メイン制御回路１１Ｃによる電力供給モードの設定に関するフローチャートである。
図２４Ａに示すように、メイン制御回路１１Ｃは、ステップＳ２０１において、装着信号Ｓcが、モバイルバッテリーユニット８Ｂがスマートフォン２Ｃに装着されていることを、示しているか否かを判定する。
また、メイン制御回路１１Ｃは、ステップＳ２０２において、状態信号Ｓbが、モバイルバッテリー８１から供給される電圧Ｖb2が閾値電圧Ｖth以上であることを、示しているか否かを判定する。
そして、メイン制御回路１１Ｃは、ステップＳ２０１における判定の結果が肯定であり、且つ、ステップＳ２０２における判定の結果が肯定である場合、ステップＳ２０３として、電力供給モードを、モバイルバッテリー電力供給モードに設定し、また、第１昇圧モードによる昇圧を指定する制御信号ＳSMを内蔵バッテリー用昇圧回路７３Ｃに供給する。
また、メイン制御回路１１Ｃは、ステップＳ２０１における判定の結果が否定である場合、または、ステップＳ２０２における判定の結果が否定である場合、ステップＳ２０４として、電力供給モードを、内蔵バッテリー電力供給モードに設定し、また、第２昇圧モードによる昇圧を指定する制御信号ＳSMを内蔵バッテリー用昇圧回路７３Ｃに供給する。
【０１２９】
なお、図２４Ａは、本実施形態に係る電力供給モードの設定に関する処理の一例であり、メイン制御回路１１Ｃは、図２４Ａとは異なる処理により、電力供給モードを設定してもよい。
図２４Ｂは、メイン制御回路１１Ｃによる電力供給モードの設定に関する処理の他の例を示すフローチャートである。
メイン制御回路１１Ｃは、図２４Ｂに示すように、ステップＳ２０１における判定の結果が肯定であり、且つ、ステップＳ２０２における判定の結果が否定である場合、内蔵バッテリー７１の電圧Ｖb1を内蔵バッテリー用昇圧回路７３Ｃにより第２駆動電圧Ｖh12以上に昇圧可能であるか否かを判定する（Ｓ２１０）。なお、メイン制御回路１１Ｃは、ステップＳ２１０において、内蔵バッテリー７１の電圧Ｖb1を内蔵バッテリー用昇圧回路７３Ｃにより閾値電圧Ｖth以上に昇圧可能であるか否かを判定してもよい。また、メイン制御回路１１Ｃは、ステップＳ２１０において、内蔵バッテリー７１の電圧Ｖb1が、基準電圧Ｖb0以上であるか否かを判定してもよい。
そして、メイン制御回路１１Ｃは、ステップＳ２０１における判定の結果が肯定であり且つステップＳ２０２における判定の結果が肯定である場合、または、ステップＳ２１０における判定の結果が否定である場合、電力供給モードを、モバイルバッテリー電力供給モードに設定し、また、第１昇圧モードによる昇圧を指定する制御信号ＳSMを内蔵バッテリー用昇圧回路７３Ｃに供給する（Ｓ２０３）。他方、メイン制御回路１１Ｃは、ステップＳ２０１における判定の結果が否定である場合、または、ステップＳ２１０における判定の結果が肯定である場合、電力供給モードを、内蔵バッテリー電力供給モードに設定し、また、第２昇圧モードによる昇圧を指定する制御信号ＳSMを内蔵バッテリー用昇圧回路７３Ｃに供給する（Ｓ２０４）。
このように、本実施形態において、メイン制御回路１１Ｃは、図２４Ａまたは図２４Ｂに例示するように、モバイルバッテリー８１からの電力の供給を、内蔵バッテリー７１からの電力の供給よりも優先するように、電力供給モードを設定すればよい。なお、本実施形態における電力供給モードの設定に関する処理は、図２４Ａまたは図２４Ｂに示す例に限定されるものではなく、モバイルバッテリー８１からの電力の供給を、内蔵バッテリー７１からの電力の供給よりも優先するものであれば、どのような処理であってもよい。
【０１３０】
図２５は、内蔵バッテリー電力供給モードによる電力の供給を示す図である。
メイン制御回路１１Ｃは、電力供給モードを、内蔵バッテリー電力供給モードに設定する場合、内蔵バッテリー用昇圧回路７３Ｃに対して、第２昇圧モードを指定する制御信号ＳSMを供給する。この場合、内蔵バッテリー用昇圧回路７３Ｃは、内蔵バッテリー７１の出力する電圧Ｖb1を、第２駆動電圧Ｖh12に昇圧させる。また、メイン制御回路１１Ｃは、電力供給モードを、内蔵バッテリー電力供給モードに設定する場合、電力供給スイッチ６００に対して、オフを指定する指定信号Ｓnを供給することで、電力供給スイッチ６００をオフする。
内蔵バッテリー電力供給モードにおいて、内蔵バッテリー用昇圧回路７３Ｃは、内蔵バッテリー７１から供給される電圧Ｖb1を、第２駆動電圧Ｖh12に昇圧し、当該昇圧後の第２駆動電圧Ｖh12を、内蔵バッテリー用ダイオード７４を介して、ノードｎd1に供給する。そして、メイン側降圧回路６２２は、ノードｎd1を介して供給される第２駆動電圧Ｖh12を、電圧Ｖl2及び電圧Ｖl1に降圧し、当該降圧後の電圧Ｖl2及び電圧Ｖl1を、制御モジュール１０Ｃに供給する。また、ノードｎd1を介して供給される第２駆動電圧Ｖh12は、表示装置５０に供給される。
【０１３１】
なお、本実施形態においても、第３実施形態と同様に、内蔵バッテリー７１を始点とし、内蔵バッテリー用昇圧回路７３Ｃ、内蔵バッテリー用ダイオード７４、及び、ノードｎd1を経由し、表示装置５０を終点とする内蔵バッテリー電力供給経路ＲT1は、内蔵バッテリー電力供給モードにおいて、内蔵バッテリー７１が表示装置５０に対して電力を供給するための経路であり、「第１経路」の一例である。
【０１３２】
図２６は、モバイルバッテリー電力供給モードによる電力の供給を示す図である。
メイン制御回路１１Ｃは、電力供給モードを、モバイルバッテリー電力供給モードに設定する場合、内蔵バッテリー用昇圧回路７３Ｃに対して、第１昇圧モードを指定する制御信号ＳSMを供給する。この場合、内蔵バッテリー用昇圧回路７３Ｃは、内蔵バッテリー７１の出力する電圧Ｖb1を、第１駆動電圧Ｖh11に昇圧させる。また、メイン制御回路１１Ｃは、電力供給モードを、モバイルバッテリー電力供給モードに設定する場合、電力供給スイッチ６００に対して、オンを指定する指定信号Ｓnを供給することで、電力供給スイッチ６００をオンする。
【０１３３】
モバイルバッテリー電力供給モードにおいて、電力供給スイッチ６００がオンしているため、モバイル側ダイオード８０２のカソードと、内蔵バッテリー用ダイオード７４のカソードとが、電気的に接続している。そして、モバイル側ダイオード８０２のアノードに供給される電圧Ｖb2は、内蔵バッテリー用ダイオード７４のアノードに供給される第１駆動電圧Ｖh11よりも、高電圧である。このため、モバイル側ダイオード８０２からノードｎd1に対して電流が流れ込むのに対して、内蔵バッテリー用ダイオード７４はオフするため、内蔵バッテリー用ダイオード７４からノードｎd1に対して電流が流れ込むことはない。このように、モバイルバッテリー電力供給モードにおいて、モバイルバッテリー８１は、モバイル側ダイオード８０２及び電力供給スイッチ６００を介して、ノードｎd1に対して、電圧Ｖb2を供給する。
そして、モバイルバッテリー電力供給モードにおいて、メイン側降圧回路６２２は、ノードｎd1を介してモバイルバッテリー８１から供給された電圧Ｖb2を、電圧Ｖl2及び電圧Ｖl1に降圧し、当該降圧後の電圧Ｖl2及び電圧Ｖl1を、制御モジュール１０Ｃに供給する。また、ノードｎd1を介して供給される電圧Ｖb2は、表示装置５０に供給される。
【０１３４】
なお、本実施形態においても、モバイルバッテリー８１を始点とし、モバイル側ダイオード８０２、電力供給スイッチ６００、及び、ノードｎd1、を経由し、表示装置５０を終点とするモバイルバッテリー電力供給経路ＲT2は、モバイルバッテリー電力供給モードにおいて、モバイルバッテリー８１が表示装置５０に対して電力を供給するための経路であり、「第２経路」の一例である。また、ノードｎd1は、「第１経路及び第２経路に共通のノード」である。なお、本実施形態において、ノードｎd1は、バス配線であってもよい。
【０１３５】
＜＜４．４．第４実施形態の効果＞＞
以上のように、本実施形態に係るスマートフォン２Ｃは、表示装置５０と、内蔵バッテリー７１と、内蔵バッテリー７１の出力する電力及びモバイルバッテリー８１の出力する電力の一方を、表示装置５０に供給する供給部５００と、を備え、供給部５００は、表示装置５０に対して、内蔵バッテリー７１の出力する電力よりも、モバイルバッテリー８１の出力する電力を優先して供給する。
【０１３６】
このように、本実施形態によれば、表示装置５０に対して、スマートフォン２Ｃに設けられている内蔵バッテリー７１の出力する電力よりも、モバイルバッテリー８１の出力する電力が優先して供給されるため、表示装置５０に対して、モバイルバッテリー８１の出力する電力よりも、内蔵バッテリー７１の出力する電力が優先して供給される態様と比較して、スマートフォン２Ｃに設けられている内蔵バッテリー７１の残容量が低減することを抑制することができる。これにより、本実施形態によれば、スマートフォン２Ｃの携帯性を高めることが可能となる。
【０１３７】
また、本実施形態によれば、モバイルバッテリー８１は、スマートフォン２Ｃに対して着脱可能である。
このため、本実施形態に係るスマートフォン２Ｃは、モバイルバッテリー８１を装着できない場合と比較して、ＡＣ電源等の商用電源からの電力の供給をせずに駆動可能な時間を長くすることができる。これにより、本実施形態によれば、スマートフォン２Ｃに対してモバイルバッテリー８１を装着できない場合と比較して、スマートフォン２Ｃの携帯性を高くすることが可能となる。
【０１３８】
また、本実施形態に係るスマートフォン２Ｃにおいて、モバイルバッテリー８１の電圧が、表示装置５０の駆動に必要な閾値電圧Ｖth以上の場合、内蔵バッテリー７１の電圧を、モバイルバッテリー８１の電圧よりも低い第１駆動電圧Ｖh11に昇圧する内蔵バッテリー用昇圧回路７３を備える。また、本実施形態に係るスマートフォン２Ｃにおいて、供給部５００は、モバイルバッテリー８１の電圧が閾値電圧Ｖth以上の場合、モバイルバッテリー８１からの電力を表示装置５０に供給する。
【０１３９】
この、本実施形態に係るスマートフォン２Ｃでは、モバイルバッテリー８１からの電力を表示装置５０に供給している場合、内蔵バッテリー７１からの電力の出力を停止しておらず、内蔵バッテリー７１の電圧Ｖb1を、モバイルバッテリー８１の電圧Ｖb2よりも低い第１駆動電圧Ｖh11に昇圧している。内蔵バッテリー７１の電圧Ｖb1を第１駆動電圧Ｖh11に昇圧している状態から、内蔵バッテリー７１の電圧Ｖb1を閾値電圧Ｖthに昇圧するまでにかかる時間は、内蔵バッテリー７１の電圧Ｖb1を昇圧していない状態、または、内蔵バッテリー７１からの電力の出力を停止している状態から、内蔵バッテリー７１の電圧Ｖb1を閾値電圧Ｖthに昇圧するまでにかかる時間より短い。従って、本実施形態によれば、内蔵バッテリー７１の電圧Ｖb1を昇圧していない態様と比較して、モバイルバッテリーユニット８Ｂがスマートフォン２Ｃから不意に外れてしまった場合において、モバイルバッテリーユニット８Ｂがスマートフォン２Ｃから不意に外れ、表示装置５０に対する電力の供給が停止してから、表示装置５０に対する電力の供給が再開するまでの時間を短くすることが可能になる。すなわち、本実施形態によれば、モバイルバッテリーユニット８Ｂがスマートフォン２Ｃから不意に外れてしまった場合においても、速やかな表示装置５０の動作の再開が可能になり、表示装置５０の動作を安定化することが可能になる。
なお、モバイルバッテリーユニット８Ｂがスマートフォン２Ｃから不意に取り外れる原因としては、例えば、以下に示す２つの原因がある。第１の原因は、ポータブルデバイスＰＣの長期使用により、スマートフォン２Ｃとモバイルバッテリーユニット８Ｂとの嵌合部が劣化することである。第２の原因は、スマートフォン２Ｃがユーザーの手の平から落下する等、ポータブルデバイスＰＣに対して外的衝撃が加えられることである。
【０１４０】
持ち運びやすさに利点を有するモバイルデバイスにおいては、場所を選ばず、任意の場所で使用できるという点が求められる。言い換えれば、ＡＣ電源の場所に依存せずにモバイルデバイスが利用できることが求められる。
本実施形態に係るスマートフォン２Ｃは、モバイルバッテリー８１の電圧が閾値電圧Ｖth以上である場合、モバイルバッテリー８１の電力が優先して使用される。モバイルバッテリー８１の電力が使用され、モバイルバッテリー８１の電圧が閾値電圧Ｖth未満となる場合、モバイルバッテリー８１をＡＣ電源で充電しながら、スマートフォン２Ｃを内蔵バッテリー７１によって動作させることが可能となる。モバイルバッテリーユニット８Ｂがスマートフォン２Ｃから取り外すことができる場合、モバイルバッテリー８１をＡＣ電源で充電する際に、ＡＣ電源とスマートフォン２Ｃとが離れていてもよい。このように、本実施形態によれば、モバイルバッテリー８１からの給電を優先することにより、スマートフォン２Ｃの使用場所が限定されないため、任意の場所において表示装置５０を動作させつつ、モバイルバッテリー８１の充電をすることが可能になる。
他方、仮に、内蔵バッテリー７１から表示装置５０に優先して電力を供給する場合、内蔵バッテリー７１が完全放電状態になると、モバイルバッテリー８１からの電力の供給が必要となる。そして、スマートフォン２Ｃがモバイルバッテリー８１から給電されている場合には、モバイルバッテリーユニット８Ｂをスマートフォン２Ｃから取り外すことができない。そして、モバイルバッテリー８１が完全放電状態になると、表示装置５０が駆動を完全に停止してしまう。よって、内蔵バッテリー７１から表示装置５０に優先して電力を供給する場合において、モバイルバッテリー８１が完全放電状態となった後においても表示装置５０の駆動を継続させるためには、ＡＣ電源の近傍にスマートフォン２Ｃを移動する必要がある。
これに対して、本実施形態によれば、スマートフォン２Ｃの使用場所を任意の場所とする場合であっても、内蔵バッテリー７１からの給電を優先する場合と比較して、表示装置５０の駆動ができない時間を短縮することが可能になる。また、本実施形態によれば、内蔵バッテリー７１からの給電を優先する場合と比較して、スマートフォン２Ｃの使用場所が限定されないため、使用場所が限定されずにスマートフォン２Ｃを長時間使用することが可能になる。
【０１４１】
また、本実施形態に係るスマートフォン２Ｃにおいて、内蔵バッテリー用昇圧回路７３は、モバイルバッテリー８１の電圧が、閾値電圧Ｖth未満の場合、内蔵バッテリー７１の電圧を、閾値電圧Ｖth以上の第２駆動電圧Ｖh12に昇圧する。また、本実施形態に係るスマートフォン２Ｃにおいて、供給部５００は、モバイルバッテリー８１の電圧が閾値電圧Ｖth未満の場合、内蔵バッテリー７１からの電力を表示装置に供給する。
このため、本実施形態に係るスマートフォン２Ｃでは、モバイルバッテリー８１の電圧が閾値電圧Ｖth未満となった場合においても、内蔵バッテリー７１からの電力を表示装置５０に供給できるため、表示装置５０の安定的な動作を実現することが可能になる。
【０１４２】
また、本実施形態に係るスマートフォン２Ｃにおいて、内蔵バッテリー７１の電圧は、閾値電圧Ｖthより低く、供給部５００は、内蔵バッテリー７１から表示装置５０に電力を供給する内蔵バッテリー電力供給経路ＲT1、及び、モバイルバッテリー８１から表示装置５０に電力を供給するモバイルバッテリー電力供給経路ＲT2に共通のノードｎd1と、内蔵バッテリー電力供給経路ＲT1上に設けられ、アノードが内蔵バッテリー用昇圧回路７３と電気的に接続され、カソードがノードｎd1と電気的に接続される内蔵バッテリー用ダイオード７４と、を備え、内蔵バッテリー用昇圧回路７３は、内蔵バッテリー電力供給経路ＲT1上に設けられる。
上述のとおり、本実施形態によれば、モバイルバッテリー８１の電圧Ｖb2が閾値電圧Ｖth以上の場合、内蔵バッテリー用昇圧回路７３によって内蔵バッテリー７１の電圧Ｖb1を第１駆動電圧Ｖh11に昇圧する。このため、本実施形態によれば、モバイルバッテリー８１の電圧Ｖb2が閾値電圧Ｖth以上の場合、内蔵バッテリー用ダイオード７４をオフさせることができる。すなわち、本実施形態によれば、モバイルバッテリー８１の電圧Ｖb2が閾値電圧Ｖth以上の場合に、内蔵バッテリー７１からの給電を停止し、モバイルバッテリー８１からの給電を優先できる。従って、本実施形態によれば、スマートフォン２Ｃの使用場所を任意の場所とする場合であっても、内蔵バッテリー７１からの給電を優先する場合と比較して、表示装置５０の駆動ができない時間を短縮することが可能になる。
【０１４３】
また、本実施形態に係るスマートフォン２Ｃにおいて、モバイルバッテリー８１の最大容量は、内蔵バッテリー７１の最大容量より大きい。
このため、本実施形態に係るスマートフォン２Ｃは、モバイルバッテリー８１の最大容量が、内蔵バッテリー７１の最大容量よりも小さい場合と比較して、一回の充電で長時間使用することが可能になる。
【０１４４】
また、本実施形態に係るスマートフォン２Ｃにおいて、表示装置５０は、モバイルバッテリー８１の容量を表示する表示部を備える。
モバイルバッテリー８１が完全放電状態である場合、ポータブルデバイスＰＣのユーザーは、表示装置５０を見ることによって、モバイルバッテリー８１が完全放電状態であり充電が必要であることに気づくことが可能になる。
【０１４５】
＜＜４．５．第４実施形態の変形例＞＞
本実施形態に係る具体的な変形の態様を以下に例示する。以下の例示から任意に選択された２以上の態様は、相互に矛盾しない範囲内で適宜に併合され得る。
【０１４６】
＜変形例４．１＞
上述の形態では、メイン制御回路１１Ｃが内蔵バッテリー用昇圧回路７３を制御する機能を有するが、このような態様に限定されるものではない。例えば、サブ制御回路１２が内蔵バッテリー用昇圧回路７３を制御する機能を有していてもよい。
【０１４７】
＜変形例４．２＞
上述の各形態において、表示装置５０は、モバイルバッテリー８１の残容量以外の情報を表示可能であってもよい。
【０１４８】
＜変形例４．３＞
上述の各形態において、表示装置５０の表示部がモバイルバッテリー８１の残容量を表示する構成を例示するが、このような態様に限定されるものではない。例えば、スマートフォン２Ｃが有する駆動素子が、モバイルバッテリー８１の残容量を報知してもよい。具体的には、スマートフォン２Ｃは、駆動素子としてスピーカーを有してもよい。
【０１４９】
＜＜５．第５実施形態＞＞
本実施形態では、ポータブルデバイスＰZに設けられたメイン制御回路１１Z、内蔵バッテリー７１、モバイルバッテリー８１、駆動素子９００、給電端子１８１Z、及び、給電端子１９１、の位置関係を説明する。なお、本実施形態に係るポータブルデバイスＰZは、ポータブルデバイスＰ、ポータブルデバイスＰA、ポータブルデバイスＰB、及び、ポータブルデバイスＰＣの総称である。また、メイン制御回路１１Zは、メイン制御回路１１、メイン制御回路１１Ａ、メイン制御回路１１Ｂ、及び、メイン制御回路１１Ｃの総称である。また、駆動素子９００は、記録ヘッド３０、及び、表示装置５０の総称である。また、給電端子１８１Zは、モバイルプリンター１に設けられた給電端子１８１、スマートフォン２Ａに設けられた給電端子１８１、スマートフォン２Ｂに設けられた給電端子８８１、及び、スマートフォン２Ｃに設けられた給電端子８８１の総称である。
【０１５０】
＜＜５．１．ポータブルデバイスＰZの概要＞＞
本実施形態に係るポータブルデバイスＰZは、モバイルデバイス２Zと、モバイルバッテリーユニット８Zとを備える。ここで、モバイルデバイス２Zは、モバイルプリンター１、スマートフォン２Ａ、スマートフォン２Ｂ、及び、スマートフォン２Ｃの総称である。また、モバイルバッテリーユニット８Zは、モバイルバッテリーユニット８、モバイルバッテリーユニット８Ａ、及び、モバイルバッテリーユニット８Ｂの総称である。
モバイルデバイス２Zは、メイン制御回路１１Z及びサブ制御回路１２を含む制御モジュール１０Zと、内蔵バッテリー７１を含む内蔵バッテリーモジュール７０Zと、駆動素子９００と、を備える。ここで、制御モジュール１０Zは、制御モジュール１０、制御モジュール１０Ａ、制御モジュール１０Ｂ、及び、制御モジュール１０Ｃの総称である。なお、本実施形態において、制御モジュール１０Zに設けられるメイン制御回路１１Zは、「プロセッサー」の一例である。また、内蔵バッテリーモジュール７０Zは、内蔵バッテリーモジュール７０、及び、内蔵バッテリーモジュール７０Ｃの総称である。なお、本実施形態において、内蔵バッテリーモジュール７０Zに設けられる内蔵バッテリー７１は、「第１バッテリー」の一例である。
モバイルバッテリーユニット８Zは、バイルバッテリー８１を含むモバイルバッテリーモジュール８０を備える。なお、本実施形態において、モバイルバッテリー８１は、「第２バッテリー」の一例である。
また、本実施形態に係るポータブルデバイスＰZには、給電端子１８１Zと、給電端子１９１とが設けられる。ここで、給電端子１８１Zは、「第１端子」の一例である。また、給電端子１９１は、「第２端子」の一例である。
【０１５１】
＜＜５．２．電力の供給経路＞＞
上述のとおり、モバイルバッテリー８１、内蔵バッテリー７１、メイン制御回路１１Z、駆動素子９００、給電端子１８１Z、及び、給電端子１９１は、電力バス１００を介在して電気的に接続される。なお、電力バス１００は、ポータブルデバイスＰZに設けられた電力線のうち、上述したノードｎd1を構成するものであってもよい。本実施形態において、電力バス１００を含む電力線は、「電力配線」の一例である。
【０１５２】
図２７及び図２８は、電力バス１００による、モバイルバッテリー８１、内蔵バッテリー７１、メイン制御回路１１Z、及び、駆動素子９００の、電気的な接続関係を説明するための概念図である。
【０１５３】
図２７及び図２８に示す通り、電力バス１００は、メイン制御回路１１Z、駆動素子９００、内蔵バッテリー７１、及び、モバイルバッテリー８１を電気的に接続する。なお、電力バス１００は、モバイルバッテリーユニット８Zがモバイルデバイス２Zに装着されている場合に、モバイルバッテリー８１と電気的に接続する。以下、ポータブルデバイスＰZに設けられた電力線のうち、電力バス１００に電気的に接続される電力線と、メイン制御回路１１Zとの接続箇所を「第１箇所１００ａ」と称する。また、ポータブルデバイスＰZに設けられた電力線のうち、電力バス１００に電気的に接続される電力線と、内蔵バッテリー７１との接続箇所を「第２箇所１００ｂ」と称する。また、ポータブルデバイスＰZに設けられた電力線のうち、電力バス１００に電気的に接続される電力線と、モバイルバッテリー８１との接続箇所を「第３箇所１００ｃ」と称する。また、ポータブルデバイスＰZに設けられた電力線のうち、電力バス１００に電気的に接続される電力線と、駆動素子９００との接続箇所を「第４箇所１００ｄ」と称する。
【０１５４】
図２７に示す通り、電力バス１００を含む電力線におけるメイン制御回路１１Z及び内蔵バッテリー７１の間の配線長Ｌ１は、電力バス１００を含む電力線におけるメイン制御回路１１Z及びモバイルバッテリー８１の間の配線長Ｌ２よりも短い。そして、電力バス１００を含む電力線におけるモバイルバッテリー８１及び内蔵バッテリー７１の間の配線長Ｌ３は、電力バス１００を含む電力線におけるモバイルバッテリー８１及びメイン制御回路１１Zの間の配線長Ｌ２よりも短い。
このため、電力バス１００を含む電力線は、第３箇所１００ｃから第１箇所１００ａまでの第１配線部分と、当該第１配線部分と第２箇所１００ｂとを電気的に接続する第２配線部分と、を含むことになる。そして、第２箇所１００ｂが内蔵バッテリー７１と電気的に接続されるため、第２配線部分を介して、第１配線部分に対して内蔵バッテリー７１からの電圧が供給される。
したがって、モバイルバッテリーユニット８Zのモバイルデバイス２Zへの取付けまたは取外しの際に発生する静電気等のノイズが、第３箇所１００ｃから第１配線部分に侵入しても、第１配線部分に対して、内蔵バッテリー７１からの電圧が設定されているため、当該ノイズに起因する第１配線部分の電圧の変動は、内蔵バッテリー７１によって抑制される。よって、第１箇所１００ａと電気的に接続するメイン制御回路１１Zは、当該ノイズの影響を受け難くなる。
【０１５５】
図２８に示す通り、電力バス１００を含む電力線における駆動素子９００及び内蔵バッテリー７１の間の配線長Ｌ４は、電力バス１００を含む電力線における駆動素子９００及びモバイルバッテリー８１の間の配線長Ｌ５よりも短い。そして、配線長Ｌ３は、配線長Ｌ５よりも短い。
このため、モバイルバッテリーユニット８Zのモバイルデバイス２Zへの取付けまたは取外しの際に発生する静電気等のノイズが、第３箇所１００ｃから第１配線部分に侵入しても、当該ノイズに起因する第１配線部分の電圧の変動は、内蔵バッテリー７１によって抑制される。従って、第４箇所１００ｄと電気的に接続する駆動素子９００は、当該ノイズの影響を受け難くなる。
【０１５６】
図２９及び図３０は、電力バス１００による、給電端子１８１Z、給電端子１９１、内蔵バッテリー７１、及び、メイン制御回路１１Zの、電気的な接続関係を説明するための概念図である。
【０１５７】
図２９及び図３０に示す通り、電力バス１００は、メイン制御回路１１Z、内蔵バッテリー７１、給電端子１８１Z、及び、給電端子１９１を電気的に接続する。以下、ポータブルデバイスＰZに設けられた電力線のうち、電力バス１００に電気的に接続される電力線と、給電端子１８１Zとの接続箇所を「第５箇所１００ｅ」と称する。また、ポータブルデバイスＰZに設けられた電力線のうち、電力バス１００に電気的に接続される電力線と、給電端子１９１との接続箇所を「第６箇所１００ｆ」と称する。
【０１５８】
図２９に示す通り、電力バス１００を含む電力線におけるメイン制御回路１１Z及び内蔵バッテリー７１の間の配線長Ｌ１は、電力バス１００を含む電力線におけるメイン制御回路１１Z及び給電端子１８１Zの間の配線長Ｌ６よりも短い。そして、電力バス１００を含む電力線における給電端子１８１Z及び内蔵バッテリー７１の間の配線長Ｌ７は、電力バス１００を含む電力線における給電端子１８１Z及びメイン制御回路１１Zの間の配線長Ｌ６よりも短い。
すなわち、本実施形態において、内蔵バッテリー７１と電気的に接続される電力線と、電力バス１００との接続箇所は、電力バス１００のうち、メイン制御回路１１Zと給電端子１８１Zとを結ぶ経路上に設定される。このため、給電端子１８１Zからの給電の開始または終了の際に発生する電位変動等のノイズが、電力バス１００に進入しても、電力バス１００に対しては、内蔵バッテリー７１からも電圧が供給されているため、当該ノイズに起因する電力バス１００の電位変動は、内蔵バッテリー７１によって抑制される。よって、電力バス１００と電気的に接続するメイン制御回路１１Zは、当該ノイズの影響を受け難くなる。
【０１５９】
図３０に示す通り、電力バス１００を含む電力線におけるメイン制御回路１１Z及び内蔵バッテリー７１の間の配線長Ｌ１は、電力バス１００を含む電力線におけるメイン制御回路１１Z及び給電端子１９１の間の配線長Ｌ８よりも短い。そして、電力バス１００を含む電力線における給電端子１９１及び内蔵バッテリー７１の間の配線長Ｌ９は、電力バス１００を含む電力線における給電端子１９１及びメイン制御回路１１Zの間の配線長Ｌ８よりも短い。
すなわち、本実施形態において、内蔵バッテリー７１と電気的に接続される電力線と、電力バス１００との接続箇所は、電力バス１００のうち、メイン制御回路１１Zと給電端子１９１とを結ぶ経路上に設定される。このため、給電端子１９１からの給電の開始または終了の際に発生する電位変動等のノイズが、電力バス１００に進入しても、電力バス１００に対しては、内蔵バッテリー７１からも電圧が供給されているため、当該ノイズに起因する電力バス１００の電位変動は、内蔵バッテリー７１によって抑制される。よって、電力バス１００と電気的に接続するメイン制御回路１１Zは、当該ノイズの影響を受け難くなる。
【０１６０】
＜＜６．第６実施形態＞＞
本実施形態では、ポータブルデバイスＰZに設けられた、メイン制御回路１１Z、サブ制御回路１２、内蔵バッテリー７１、及び、モバイルバッテリー８１の位置関係を説明する。
【０１６１】
＜＜６．１．ポータブルデバイスＰZの概要＞＞
本実施形態に係るポータブルデバイスＰZは、モバイルデバイス２Zと、モバイルバッテリーユニット８Zとを備える。
モバイルデバイス２Zは、メイン制御回路１１Z及びサブ制御回路１２を含む制御モジュール１０Zと、内蔵バッテリー７１を含む内蔵バッテリーモジュール７０Zと、駆動素子９００と、を備える。なお、本実施形態において、制御モジュール１０Zに設けられるメイン制御回路１１Zは、「第１プロセッサー」の一例であり、制御モジュール１０Zに設けられるサブ制御回路１２は、「第２プロセッサー」の一例である。また、本実施形態において、内蔵バッテリーモジュール７０Zに設けられる内蔵バッテリー７１は、「第１バッテリー」の一例である。
モバイルバッテリーユニット８Zは、バイルバッテリー８１を含むモバイルバッテリーモジュール８０を備える。なお、本実施形態において、モバイルバッテリー８１は、「第２バッテリー」の一例である。
【０１６２】
＜＜６．２．制御モジュール及びバッテリーの位置関係＞＞
制御モジュール１０Zは、各種処理の実行に伴い発熱するため、熱源にもなる。モバイルデバイス２Zは、モバイルデバイス２Zを制御する制御手段として、メイン制御回路１１Zとサブ制御回路１２とを備えるため、１つの制御回路でモバイルデバイス２Zを制御する構成に比べて熱源を分散できる。
【０１６３】
メイン制御回路１１Zとサブ制御回路１２は、消費電力が大きいほど発熱量が多くなる。ここで、消費電力は、例えば定格消費電力である。上述の通り、メイン制御回路１１Zは、駆動素子９００と、内蔵バッテリー７１を含む内蔵バッテリーモジュール７０Zと、モバイルバッテリー８１を含むモバイルバッテリーモジュール８０と、を制御する。一方、サブ制御回路１２は、内蔵バッテリーモジュール７０Zを制御する。このため、メイン制御回路１１Zは、サブ制御回路１２よりも、処理量が多く、消費電力が大きい。
なお、本実施形態では、メイン制御回路１１Zが備えるＣＰＵのコア数が、サブ制御回路１２が備えるＣＰＵのコア数よりも多い場合を想定する。また、本実施形態では、メイン制御回路１１Zが備えるＣＰＵの最大スレッド数が、サブ制御回路１２が備えるＣＰＵの最大スレッド数よりも多い場合を想定する。
従って、本実施形態では、メイン制御回路１１Zの発熱量は、サブ制御回路１２の発熱量よりも多い。
【０１６４】
図３１は、メイン制御回路１１Z、サブ制御回路１２、内蔵バッテリー７１、及び、モバイルバッテリー８１の、配置関係を説明するための概念図である。図３１に示すように、本実施形態では、メイン制御回路１１Zと内蔵バッテリー７１との距離を「第１距離Ｗ１」として定義し、サブ制御回路１２と内蔵バッテリー７１との距離を「第２距離Ｗ２」として定義し、メイン制御回路１１Zとモバイルバッテリー８１との距離を「第３距離Ｗ３」として定義し、サブ制御回路１２とモバイルバッテリー８１との距離を「第４距離Ｗ４」として定義する。
本実施形態では、一例として、一の物体と他の物体との距離を、一の物体の外面と、他の物体の外面と、の最短距離として定めることとする。換言すれば、本実施形態において、一の物体と他の物体との距離を、一の物体における任意の点と、他の物体における任意の点と、の距離の最小値として定める。このため、第１距離Ｗ１は、メイン制御回路１１Zの外面１１ａと、内蔵バッテリー７１の外面７１ａとの最短距離となる。第２距離Ｗ２は、サブ制御回路１２の外面１２ａと、内蔵バッテリー７１の外面７１ａとの最短距離となる。第３距離Ｗ３は、メイン制御回路１１Zの外面１１ａと、モバイルバッテリー８１の外面８１ａとの最短距離となる。第４距離Ｗ４は、サブ制御回路１２の外面１２ａと、モバイルバッテリー８１の外面８１ａとの最短距離となる。
なお、本実施形態における距離の定め方は一例であり、適宜変更可能である。例えば、一の物体と他の物体との距離を、一の物体における任意の点と、他の物体における任意の点と、の距離の最大値として定めてもよいし、一の物体における最も高温の点と、他の物体における最も高温の点と、の距離として定めてもよいし、または、一の物体の重心と、他の物体の重心と、の距離として定めてもよい。
【０１６５】
図３１に示される通り、第１距離Ｗ１は第２距離Ｗ２よりも長く、第３距離Ｗ３は第４距離Ｗ４よりも長い。すなわち、第１距離Ｗ１と第３距離Ｗ３との和は、第２距離Ｗ２と第４距離Ｗ４との和よりも長い。
このため、本実施形態によれば、サブ制御回路１２よりも発熱量の大きいメイン制御回路１１Zからの発熱による、内蔵バッテリー７１及びモバイルバッテリー８１に対する影響を、サブ制御回路１２からの発熱による、内蔵バッテリー７１及びモバイルバッテリー８１に対する影響よりも小さくすることが可能となり、内蔵バッテリー７１とモバイルバッテリー８１の熱による劣化を抑制できる。
なお、本実施形態では、第３距離Ｗ３が第１距離Ｗ１よりも長く、第４距離Ｗ４が第２距離Ｗ２よりも長い場合を想定する。但し、このような態様は一例であり、第３距離Ｗ３は第１距離Ｗ１よりも短くてもよいし、また、第４距離Ｗ４は第２距離Ｗ２よりも短くてもよい。
【０１６６】
なお、本実施形態では、メイン制御回路１１Zが設けられる基板と、サブ制御回路１２が設けられる基板とが、異なる場合を想定する。この場合、メイン制御回路１１Z及びサブ制御回路１２が同一の基板に設けられる構成に比べて、メイン制御回路１１Z及びサブ制御回路１２と内蔵バッテリー７１及びモバイルバッテリー８１との、相対的な位置関係の調整が容易になる。但し、このような態様は一例であり、メイン制御回路１１Z及びサブ制御回路１２は、図５の例のように、同一の基板上に設けられてもよい。
【０１６７】
＜＜７．その他の変形例＞＞
上述した第１実施形態乃至第６実施形態の具体的な変形の態様を以下に例示する。以下の例示から任意に選択される２以上の態様は、相互に矛盾しない範囲内で適宜に併合され得る。
【０１６８】
＜変形例７．１＞
上述した第１実施形態及び第２実施形態において、メイン制御回路１１及びメイン制御回路１１Ａは、第３実施形態のように、図１９Ａまたは図１９Ｂに例示する電力供給モードを設定する処理を実行可能であってもよい。
すなわち、ポータブルデバイスＰ及びポータブルデバイスＰAは、内蔵バッテリー電力供給モード及びモバイルバッテリー電力供給モードの２つの電力供給モードにより、電力供給対象に対する電力の供給が可能であってもよい。
例えば、メイン制御回路１１は、ステップＳ１０１において、装着信号Ｓcに基づいて、モバイルバッテリーユニット８がモバイルプリンター１に装着されているか否かを判定し、ステップＳ１０２において、状態信号Ｓbに基づいて、モバイルバッテリー８１からの電圧Ｖb2が閾値電圧Ｖth以上であるか否かを判定し、ステップＳ１０１における判定の結果が肯定であり、且つ、ステップＳ１０２における判定の結果が肯定である場合、ステップＳ１０３において、電力供給モードをモバイルバッテリー電力供給モードに設定し、ステップＳ１０１における判定の結果が否定である場合、または、ステップＳ１０２における判定の結果が否定である場合、ステップＳ１０４において、電力供給モードを内蔵バッテリー電力供給モードに設定してもよい。
なお、本変形例において、モバイルプリンター１またはスマートフォン２Ａに設けられた、内蔵バッテリー用昇圧回路７３及び内蔵バッテリー用ダイオード７４が、「停止部」の一例である停止回路７００に相当することになる。
【０１６９】
＜変形例７．２＞
上述した第１実施形態及び第２実施形態において、メイン制御回路１１及びメイン制御回路１１Ａは、第４実施形態のように、図２４Ａまたは図２４Ｂに例示する電力供給モード及び昇圧モードを設定する処理を実行可能であってもよい。
すなわち、ポータブルデバイスＰ及びポータブルデバイスＰAは、内蔵バッテリー用昇圧回路７３の代わりに、内蔵バッテリー用昇圧回路７３Ｃを備え、内蔵バッテリー７１から出力される電圧Ｖb1を、第１昇圧モード及び第２昇圧モードの２つの昇圧モードにより昇圧可能であってもよい。この場合、ポータブルデバイスＰ及びポータブルデバイスＰAは、内蔵バッテリー電力供給モード及びモバイルバッテリー電力供給モードの２つの電力供給モードにより、電力供給対象に対する電力の供給が可能であってもよい。
例えば、メイン制御回路１１は、ステップＳ２０１において、装着信号Ｓcに基づいて、モバイルバッテリーユニット８がモバイルプリンター１に装着されているか否かを判定し、ステップＳ２０２において、状態信号Ｓbに基づいて、モバイルバッテリー８１からの電圧Ｖb2が閾値電圧Ｖth以上であるか否かを判定し、ステップＳ２０１における判定の結果が肯定であり、且つ、ステップＳ２０２における判定の結果が肯定である場合、ステップＳ２０３において、電力供給モードをモバイルバッテリー電力供給モードに設定するとともに、昇圧モードを第１昇圧モードに設定し、ステップＳ２０１における判定の結果が否定である場合、または、ステップＳ２０２における判定の結果が否定である場合、ステップＳ２０４において、電力供給モードを内蔵バッテリー電力供給モードに設定するとともに、昇圧モードを第２昇圧モードに設定してもよい。
なお、本変形例において、モバイルプリンター１またはスマートフォン２Ａに設けられた、内蔵バッテリー用ダイオード７４及びノードｎd1が、「供給部」に相当することになる。
【０１７０】
＜変形例７．３＞
上述した実施形態及び変形例では、モバイルデバイスとして、モバイルプリンターまたはスマートフォンを例示するが、このような態様は一例に過ぎない。例えば、モバイルデバイスは、モバイルプリンターまたはスマートフォンの他、スマートフォン以外の携帯電話機、携帯情報端末、ウェアラブル端末、電子手帳、電子ペーパー、電卓、デジタルスチルカメラ、ビデオカメラ、携帯音楽プレーヤー、ＩＣレコーダー、携帯ラジオ、携帯テレビ、モバイルプロジェクター、モバイルスキャナー、モバイルルーター、または、ポータブルＤＶＤプレーヤー等でもよい。ＩＣは、Integrated Circuitの略称である。
【０１７１】
＜変形例７．４＞
上述した実施形態及び変形例では、モバイルバッテリー８１が、内蔵バッテリー７１よりも容量が大きい場合を例示するが、このような態様は一例に過ぎない。例えば、内蔵バッテリー７１は、モバイルバッテリー８１よりも容量が大きくてもよい。
【符号の説明】
【０１７２】
２Ｂ…スマートフォン、８Ｂ…モバイルバッテリーユニット、１０Ｂ…制御モジュール、１１Ｂ…メイン制御回路、５０…表示装置、７０…内蔵バッテリーモジュール、７１…内蔵バッテリー、７３…内蔵バッテリー用昇圧回路、７４…内蔵バッテリー用ダイオード、８０…モバイルバッテリーモジュール、８１…モバイルバッテリー、１９１…給電端子、６００…電力供給スイッチ、７００…停止回路、ｎd1…ノード、ＰB…ポータブルデバイス。
【図１】
2020054216.tif 000003
【図２】
2020054216.tif 000004
【図３】
2020054216.tif 000005
【図４】
2020054216.tif 000006
【図５】
2020054216.tif 000007
【図６】
2020054216.tif 000008
【図７】
2020054216.tif 000009
【図８】
2020054216.tif 000010
【図９】
2020054216.tif 000011
【図１０】
2020054216.tif 000012
【図１１】
2020054216.tif 000013
【図１２】
2020054216.tif 000014
【図１３】
2020054216.tif 000015
【図１４】
2020054216.tif 000016
【図１５】
2020054216.tif 000017
【図１６】
2020054216.tif 000018
【図１７】
2020054216.tif 000019
【図１８】
2020054216.tif 000020
【図１９Ａ】
2020054216.tif 000021
【図１９Ｂ】
2020054216.tif 000022
【図２０】
2020054216.tif 000023
【図２１】
2020054216.tif 000024
【図２２】
2020054216.tif 000025
【図２３】
2020054216.tif 000026
【図２４Ａ】
2020054216.tif 000027
【図２４Ｂ】
2020054216.tif 000028
【図２５】
2020054216.tif 000029
【図２６】
2020054216.tif 000030
【図２７】
2020054216.tif 000031
【図２８】
2020054216.tif 000032
【図２９】
2020054216.tif 000033
【図３０】
2020054216.tif 000034
【図３１】
2020054216.tif 000035